(57)【要約】【課題】複数のシリアルディジタルデータを変換して得た複数の光信号の双方向伝送を、共通の１本の光信号伝送ケーブルを用いて効率良く行えるものとする。【解決手段】カメラ部１０からのディジタル映像信号に基づく複数のシリアルデータを、ＣＷＤＭ技術を用いて複数の光信号に変換するとともに合波して多重光信号を得、それを光信号伝送ケーブル３１の一端側に配された双方向性ＷＤＭカップラ２２を通じて信号伝送ケーブル３１に送出し、その一端側から他端側へと伝送し、また、信号記録再生部１１からのリターン映像信号に基づくシリアルデータを光信号に変換し、それを、光信号伝送ケーブル３１の他端側に配された双方向性ＷＤＭカップラ３２を通じて光信号伝送ケーブル３１に送出し、その他端側から一端側へと送出する。【選択図】　　　　図１
2004072664.tif 000002
【特許請求の範囲】
【請求項１】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じたパラレルデータに基づく第１から第４までのワード列データを形成し、
上記第１から第４までのワード列データに夫々基づく第１から第４までのシリアルデータを得て、
上記第１から第４までのシリアルデータを所定の波長間隔をおいて順次近接する第１から第４までの中心波長を夫々有した第１から第４までの光信号に変換し、
該第１から第４までの光信号を合波して多重光信号を得、
該多重光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記多重光信号を、光信号伝送ケーブルに送出して該光信号伝送ケーブルの一端側から他端側へと伝送するとともに、
第５のシリアルデータを第５の光信号に変換して、
該第５の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第５の光信号を、上記光信号伝送ケーブルに送出して上記他端側から上記一端側へと伝送し、
上記光信号伝送ケーブルの他端側に伝送された上記多重光信号を、上記第２の双方向性波長多重カップラの上記第５の入出力端に導出して、
上記第２の双方向性波長多重カップラの上記第５の入出力端に導出される上記多重光信号に分波処理および光電処理を施して、上記第１から第４までのシリアルデータを再生するとともに、
上記光信号伝送ケーブルの一端側に伝送された上記第５の光信号を、上記第１の双方向性波長多重カップラの上記第２の入出力端に導出して、
上記第１の双方向性波長多重カップラの上記第２の入出力端に導出される上記第５の光信号に光電処理を施して、上記第５のシリアルデータを再生するデータ伝送方法。
【請求項２】
パラレルデータが、各々が１２ビット，１４ビットもしくは１６ビットワード列データとされた輝度信号データ系列と色差信号データ系列との並列配置をもって形成された２４ビット，２８ビットもしくは３２ビット構成とされ、該パラレルデータに、各ライン部毎に順次第１のグループと第２のグループとに振り分ける処理を施して、第１のグループを構成するデータに基づく第１の中間ワード列データと、上記第２のグループを構成するデータに基づく第２の中間ワード列データとを形成し、上記第１の中間ワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データとを形成するとともに、上記第２の中間ワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成する、データ処理を施すことを特徴とする請求項１記載のデータ伝送方法。
【請求項３】
パラレルデータが、各々が１０ビットワード列データとされた緑色原色信号データ系列と青色原色信号データ系列と赤色原色信号データ系列との並列配置をもって形成された３０ビット構成とされ、該パラレルデータに、各ライン部毎に順次第１のグループと第２のグループとに振り分ける処理を施して、上記第１のグループを構成するデータに基づく第１の中間ワード列データと、上記第２のグループを構成するデータに基づく第２の中間ワード列データとを得、上記第１の中間ワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第１及び第２のワード列データを形成するとともに、上記第２の中間ワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第３及び第４のワード列データを形成する、データ処理を施すことを特徴とする請求項１記載のデータ伝送方法。
【請求項４】
パラレルデータが、各々が１２ビットワード列データとされた緑色原色信号データ系列と青色原色信号データ系列と赤色原色信号データ系列との並列配置をもって形成された３６ビット構成とされ、該パラレルデータに、各ライン部毎に順次第１のグループと第２のグループとに振り分ける処理を施して、上記第１のグループを構成するデータに基づく第１の中間ワード列データと、上記第２のグループを構成するデータに基づく第２の中間ワード列データとを形成し、上記第１の中間ワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第２のワード列データと、を形成するとともに、上記第２の中間ワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データとを形成する、データ処理を施すことを特徴とする請求項１記載のデータ伝送方法。
【請求項５】
第１から第４までのワード列データの夫々を、ワード伝送レートを７４．２５ＭＢｐｓとする２０ビットワード列データとすることを特徴とする請求項１記載のデータ伝送方法。
【請求項６】
フレームレートを６０Ｈｚとし、各フレームにおける有効ライン数が７２０ライン，各ラインにおける有効データサンプル数が１２８０サンプルに設定されたディジタル映像信号に応じたパラレルデータに基づく第１から第３までのワード列データを得、
該第１から第３までのワード列データに夫々基づく第１から第３までのシリアルデータを得て、
該第１から第３までのシリアルデータを所定の波長間隔をおいて順次近接する第１から第３までの中心波長を夫々有した第１から第３までの光信号に変換し、
上記第１から第３までの光信号を、一端部側に第１から第４までの入出力端が設けられるとともに他端部側に第５の入出力端が設けられて成る第１の双方向性波長多重カップラにおける上記第１，第２及び第３の入出力端に夫々供給して、上記第５の入出力端に多重光信号を導出し、該多重光信号を、一端部側に第６及び第７の入出力端が設けられるとともに他端部側に第８の入出力端が設けられて成る第２の双方向性波長多重カップラにおける上記第６の入出力端に供給し、上記第８の入出力端に導出される上記多重光信号を、光信号伝送ケーブルに送出して該光信号伝送ケーブルの一端側から他端側へと伝送し、
第４のシリアルデータを上記第３の中心波長に所定の波長間隔をおいて近接する第４の中心波長を有した第４の光信号に変換して、該第４の光信号を、一端部側に第９から第１２までの入出力端が設けられるとともに他端部側に第１３の入出力端が設けられて成る第３の双方向性波長多重カップラにおける上記第１２の入出力端に供給し、上記第１３の入出力端に導出される上記第４の光信号を、一端部側に第１４及び第１５の入出力端が設けられるとともに他端部側に第１６の入出力端が設けられて成る第４の双方向性波長多重カップラにおける上記第１４の入出力端に供給し、上記第１６の入出力端に導出される上記第４の光信号を、上記光信号伝送ケーブルに送出して上記他端側から上記一端側へと伝送するとともに、
第５のシリアルデータを第５の光信号に変換して、該第５の光信号を、上記第４の双方向性波長多重カップラにおける上記第１５の入出力端に供給し、上記第１６の入出力端に導出される上記第５の光信号を、上記光信号伝送ケーブルに送出して上記他端側から上記一端側へと伝送し、
上記光信号伝送ケーブルの他端側に伝送された上記多重光信号を、上記第４の双方向性波長多重カップラの上記第１４の入出力端に導出して、該第４の双方向性波長多重カップラの上記第１４の入出力端に導出される上記多重光信号を、上記第３の双方向性波長多重カップラの第９から第１１までの入出力端に上記第１から第３までの光信号として導出し、
上記第３の双方向性波長多重カップラの上記第９から第１１までの入出力端に夫々導出される上記第１から第３までの光信号の夫々に光電処理を施して、上記第１から第３までのシリアルデータを再生し、
上記光信号伝送ケーブルの一端側に伝送された上記第４の光信号を、上記第２の双方向性波長多重カップラの上記第６の入出力端に導出して、該第２の双方向性波長多重カップラの上記第６の入出力端に導出される上記第４の光信号を、上記第１の双方向性波長多重カップラの第４の入出力端に導出し、
上記第１の双方向性波長多重カップラの上記第４の入出力端に導出される上記第４の光信号に光電処理を施して、上記第４のシリアルデータを再生するとともに、
上記光信号伝送ケーブルの一端側に伝送された上記第５の光信号を、上記第２の双方向性波長多重カップラの上記第７の入出力端に導出し、
該第２の双方向性波長多重カップラの上記第７の入出力端に導出される上記第５の光信号に光電処理を施して、上記第５のシリアルデータを再生するデータ伝送方法。
【請求項７】
パラレルデータが、各々が１２ビット，１４ビットもしくは１６ビットワード列データとされた輝度信号データ系列及び色差信号データ系列と上記輝度信号データ系列と同等のデータフォーマットを有した付加情報データ系列との並列配置をもって形成された３２ビット，４２ビットもしくは４８ビット構成とされ、該パラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく第１のワード列データと、上記輝度信号データ系列及び色差信号データ系列から分割された複数の下位２ビット，４ビットもしくは６ビットに基づく第２のワード列データと、上記付加情報データ系列から分割された複数の上位１０ビット及び複数の下位２ビット，４ビットもしくは６ビットに基づく第３のワード列データと、を形成するデータ処理を施すことを特徴とする請求項６記載のデータ伝送方法。
【請求項８】
付加情報データ系列が、ディジタル映像信号についてのＫｅｙ信号情報をあらわすことを特徴とする請求項７記載のデータ伝送方法。
【請求項９】
パラレルデータが、各々が１２ビットワード列データとされた緑色原色信号データ系列，青色原色信号データ系列及び赤色原色信号データ系列と上記緑色原色信号データ系列と同等のデータフォーマットを有した付加情報データ系列との並列配置をもって形成された４８ビット構成とされ、該パラレルデータに、上記緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットとに基づく第２のワード列データと、上記付加情報データ系列から分割された複数の上位１０ビット及び複数の下位２ビットに基づく第３のワード列データと、を形成するデータ処理を施すことを特徴とする請求項６記載のデータ伝送方法。
【請求項１０】
付加情報データ系列が、ディジタル映像信号についてのＫｅｙ信号情報をあらわすことを特徴とする請求項９記載のデータ伝送方法。
【請求項１１】
第１，第２及び第３のワード列データの夫々を、ワード伝送レートを７４．２５ＭＢｐｓとする２０ビットワード列データとすることを特徴とする請求項６記載のデータ伝送方法。
【請求項１２】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じたパラレルデータに基づく第１から第４までのワード列データを形成するデータ処理部と、
上記第１から第４までのワード列データに夫々基づく第１から第４までのシリアルデータを得るパラレル／シリアル変換部と、
上記第１から第４までのシリアルデータを所定の波長間隔をおいて相互近接する第１から第４までの中心波長を夫々有した第１から第４までの光信号に変換する第１から第４までの電光変換部と、
上記第１から第４までの光信号を合波して多重光信号を得る多重光信号形成部と、
一端部側に第１及び第２の入出力端が設けられるとともに他端部側に第３の入出力端が設けられて成り、上記多重光信号が上記第１の入出力端に供給されて上記第３の入出力端に導出される第１の双方向性波長多重カップラと、
第５のシリアルデータを第５の光信号に変換する第５の電光変換部と、
一端部側に第４及び第５の入出力端が設けられるとともに他端部側に第６の入出力端が設けられて成り、上記第５の光信号が上記第４の入出力端に供給されて上記第６の入出力端に導出される第２の双方向性波長多重カップラと、
上記第１の双方向性波長多重カップラの第３の入出力端に導出される上記多重光信号を一端側から他端側へと伝送するとともに、上記第２の双方向性波長多重カップラの第６の入出力端に導出される上記第５の光信号を上記他端側から上記一端側へと伝送する光信号伝送ケーブルと、
該光信号伝送ケーブルの他端側に得られ、上記第２の双方向性波長多重カップラを上記第６の入出力端から上記第５の入出力端へと通じて導出される上記多重光信号を、上記第１から第４までの光信号に分波する分波部と、
該分波部から得られる上記第１から第４までの光信号を上記第１から第４までのシリアルデータに変換する第１から第４までの光電変換部と、
上記光信号伝送ケーブルの一端側に得られ、上記第１の双方向性波長多重カップラを上記第３の入出力端から上記第２の入出力端へと通じて導出される上記第５の光信号を上記第５のシリアルデータに変換する第５の光電変換部と、
を備えて構成されるデータ伝送装置。
【請求項１３】
フレームレートを６０Ｈｚとし、各フレームにおける有効ライン数が７２０ライン，各ラインにおける有効データサンプル数が１２８０サンプルに設定されたディジタル映像信号に応じたパラレルデータに基づく第１から第３までのワード列データを得るデータ処理部と、
上記第１から第３までのワード列データに夫々基づく第１から第３までのシリアルデータを得るパラレル／シリアル変換部と、
該第１から第３までのシリアルデータを所定の波長間隔をおいて順次近接する第１から第３までの中心波長を夫々有した第１から第３までの光信号に変換する第１から第３までの電光変換部と、
一端部側に第１から第４までの入出力端が設けられるとともに他端部側に第５の入出力端が設けられて成り、上記第１から第３までの光信号が上記第１から第３までの入出力端に供給されて上記第５の入出力端に多重光信号が導出される第１の双方向性波長多重カップラと、
一端部側に第６及び第７の入出力端が設けられるとともに他端部側に第８の入出力端が設けられて成り、上記第１の双方向性波長多重カップラの第５の入出力端に導出される上記多重光信号が上記第６の入出力端に供給されて上記第８の入出力端に導出される第２の双方向性波長多重カップラと、
第４のシリアルデータを上記第３の中心波長に所定の波長間隔をおいて近接する第４の中心波長を有した第４の光信号に変換する第４の電光変換部と、
第５のシリアルデータを第５の光信号に変換する第５の電光変換部と、
一端部側に第９から第１２までの入出力端が設けられるとともに他端部側に第１３の入出力端が設けられて成り、上記第４の光信号が上記第１２の入出力端に供給されて上記第１３の入出力端に導出される第３の双方向性波長多重カップラと、
一端部側に第１４及び第１５の入出力端が設けられるとともに他端部側に第１６の入出力端が設けられて成り、上記第３の双方向性波長多重カップラの第１３の入出力端に導出される上記第４の光信号が上記第１４の入出力端に供給されて上記第１６の入出力端に導出されるとともに、上記第５の光信号が上記第１５の入出力端に供給されて上記第１６の入出力端に導出される第４の双方向性波長多重カップラと、
上記第２の双方向性波長多重カップラの第８の入出力端に導出される上記多重光信号を一端側から他端側へと伝送するとともに、上記第４の双方向性波長多重カップラの第１６の入出力端に導出される上記第４及び第５の光信号を上記他端側から上記一端側へと伝送する光信号伝送ケーブルと、
該光信号伝送ケーブルの他端側に得られ、上記第４の双方向性波長多重カップラを上記第１６の入出力端から上記第１４の入出力端へと通じた上記多重光信号が、上記第３の双方向性波長多重カップラに上記第１３の入出力端から供給されて、上記第３の双方向性波長多重カップラの上記第９から第１１までの入出力端に導出される上記第１から第３までの光信号を、上記第１から第３までのシリアルデータに変換する第１から第３までの光電変換部と、
上記光信号伝送ケーブルの一端側に得られ、上記第２の双方向性波長多重カップラを上記第８の入出力端から上記第６の入出力端へと通じ、さらに、上記第１の双方向性波長多重カップラを上記第５の入出力端から上記第４の入出力端へと通じて導出される上記第４の光信号を上記第４のシリアルデータに変換する第４の光電変換部と、
上記光信号伝送ケーブルの一端側に得られ、上記第２の双方向性波長多重カップラを上記第８の入出力端から上記第７の入出力端へと通じて導出される上記第５の光信号を上記第５のシリアルデータに変換する第５の光電変換部と、
を備えて構成されるデータ伝送装置。
【発明の詳細な説明】
【０００１】
【発明の属する技術分野】
本願の特許請求の範囲に記載された発明は、映像信号情報等をあらわす複数のディジタルデータをシリアルデータとし、さらに、それらに電光変換処理を施して得られる複数の光信号を、２個の送受信部間において光信号伝送ケーブルを通じて双方向に伝送するデータ伝送方法及びその実施に供されるデータ伝送装置に関する。
【０００２】
【従来の技術】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン（Ｈｉｇｈ　Ｄｅｆｉｎｉｔｉｏｎ　Ｔｅｌｅｖｉｓｉｏｎ：ＨＤＴＶ）システム等が提案されている。ＨＤＴＶシステムのもとにおけるディジタルビデオ信号（以下、ＨＤディジタル映像信号という）は、例えば、ＢＴＡ（Ｂｒｏａｄｃａｓｔｉｎｇ　Ｔｅｃｈｎｏｌｏｇｙ　Ａｓｓｏｃｉａｔｉｏｎ：放送技術開発協議会）により制定された規格に従って形成され、Ｙ，ＰＢ　／ＰＲ　形式のものとＧ，Ｂ，Ｒ形式のものとがある。Ｙ，ＰＢ　／ＰＲ　形式の場合、Ｙは輝度信号を意味し、ＰＢ　及びＰＲ　は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰＢ　／ＰＲ　形式のＨＤディジタル映像信号は、フレームレートが３０Ｈｚもしくは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図２１に示される如くのデータフォーマットに従うものとされる。図２１に示されるデータフォーマットは、図２１のＡに示される如くの、映像信号における輝度信号情報をあらわす輝度信号データ系列（Ｙデータ系列）と、図２１のＢに示される如くの、映像信号における色差信号情報をあらわす色差信号データ系列（ＰＢ　／ＰＲ　データ系列）とから成り、Ｙデータ系列及びＰＢ　／ＰＲ　データ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図２１のＡには、Ｙデータ系列における各ライン部中のラインブランキング部及びその前後における映像データ部の一部分が示されており、また、図２１のＢには、ＰＢ　／ＰＲ　データ系列における各ライン部中のラインブランキング部及びその前後における映像データ部の一部分が示されている。
【０００４】
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）；３ＦＦ，０００及びＸＹＺは１６進表現であり、（Ｙ）はＹデータ系列中のワードであることをあらわす。）から成るタイミング基準コードデータ（ＳＡＶ：　Ｓｔａｒｔ　ｏｆ　Ａｃｔｉｖｅ　Ｖｉｄｅｏ　）が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ：　Ｅｎｄ　ｏｆ　Ａｃｔｉｖｅ　Ｖｉｄｅｏ　）が配される。同様にして、ＰＢ　／ＰＲ　データ系列にあっても、各映像データ部の直前に、各々が１０ビット構成とされる４ワード（３ＦＦ（Ｃ），０００（Ｃ），０００（Ｃ），ＸＹＺ（Ｃ）；３ＦＦ，０００及びＸＹＺは１６進表現であり、（Ｃ）はＰＢ　／ＰＲ　データ系列中のワードであることをあらわす。）から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰＢ　／ＰＲ　データ系列中のタイミング基準コードデータ：ＥＡＶ及びＳＡＶの夫々は、ＰＢ　／ＰＲ　データ系列における各ラインブランキング部に配される。
【０００５】
ここでは（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
【０００６】
また、Ｇ，Ｂ，Ｒ形式のＨＤディジタル映像信号も、フレームレートが３０Ｈｚとされたもとでの飛び越し走査用の信号とされ、例えば、図２２に示される如くのデータフォーマットに従うものとされる。図２２に示されるデータフォーマットは、図２２のＡに示される如くの、映像信号における緑色原色信号情報をあらわす緑色原色信号データ系列（Ｇデータ系列）と、図２２のＢに示される如くの、映像信号における青色原色信号情報をあらわす青色原色信号データ系列（Ｂデータ系列）と、図２２のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータの各々は、１０ビット構成とされ、また、そのワード伝送レートは、例えば、７４．２５ＭＢｐｓとされる。そして、図２２のＡ，Ｂ及びＣには、夫々、Ｇデータ系列，Ｂデータ系列及びＲデータ系列における各ライン部中のラインブランキング部及びその前後における映像データ部の一部分が示されている。
【０００７】
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
【０００８】
現行のＨＤＴＶシステムにあっては、上述の如くのフレームレートが３０Ｈｚとされたもとでの飛び越し走査用とされたＹ，ＰＢ　／ＰＲ　形式もしくはＧ，Ｂ，Ｒ形式のＨＤディジタル映像信号が用いられているが、これに対して、次世代のＨＤＴＶシステムとして、フレームレートが６０Ｈｚもしくは６０／１．００１Ｈｚ（本願においてはこれらのいずれをも６０Ｈｚという。）とされたもとで、各フレーム画像が第１及び第２フィールドに分けられることなく形成される順次走査用とされた、Ｙ，ＰＢ　／ＰＲ　形式もしくはＧ，Ｂ，Ｒ形式のＨＤディジタル映像信号を用いるシステムが提案されている。順次走査用とされた、Ｙ，ＰＢ　／ＰＲ　形式もしくはＧ，Ｂ，Ｒ形式のＨＤディジタル映像信号は、プログレッシブ（Ｐｒｏｇｒｅｓｓｉｖｅ）方式のＨＤディジタル映像信号と称される。
【０００９】
フレームレートが６０Ｈｚとされたプログレッシブ方式のＨＤディジタル映像信号を成すディジタルデータは、米国のＳＭＰＴＥ（Ｓｏｃｉｅｔｙ　ｏｆ　Ｍｏｔｉｏｎ　Ｐｉｃｔｕｒｅ　ａｎｄ　Ｔｅｌｅｖｉｓｉｏｎ　Ｅｎｇｉｎｅｅｒｓ：　映画及びテレビジョン技術者協会）により制定された規格：ＳＭＰＴＥ　２７４Ｍ　によるフォーマットの規格化が図られている。斯かる　ＳＭＰＴＥ　２７４Ｍ　により規格化されたフォーマットにあっては、フレームレート：　６０Ｈｚの他、ラインあたりの有効データサンプル数：１９２０サンプル，フレームあたりの有効ライン数：１０８０ライン，サンプリング周波数：１４８．５ＭＨｚもしくは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰＢ　／ＰＲ　形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１０】
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす）、即ち、００００　００００　及び　１１１１　１１１１とされ、また、量子化ビット数が１０ビットである場合、禁止コードは、１６進表現で０００ｈ〜００３ｈ及び３ＦＣｈ〜３ＦＦｈ、即ち、　００　００００　００００　〜　００　００００００１１　及び　１１　１１１１　１１００　〜　１１　１１１１　１１１１　とされる。
【００１１】
なお、Ｙ，ＰＢ　／ＰＲ　形式の場合、ＰＢ　データ系列及びＰＲ　データ系列の夫々のサンプリング周波数が、Ｙデータ系列のサンプリング周波数の１／２とされる。以下おいては、必要に応じて、Ｙ，ＰＢ　／ＰＲ　形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【００１２】
また、こうしたＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【００１３】
Ｄ−Ｃｉｎｅｍａ信号は、例えば、フレームレートを２４Ｈｚもしくは２４／１．００１Ｈｚ（本願においてはこれらのいずれをも２４Ｈｚという。）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ，５０Ｈｚ，６０Ｈｚ等も考えられる。フレームレートを２４Ｈｚ，２５Ｈｚ，３０Ｈｚ，５０Ｈｚ，６０Ｈｚ等とするディジタル映像信号を成すディジタルデータについては、そのフォーマットが　ＳＭＰＴＥ　２７４Ｍ　により規格化されており、ラインあたりの有効データサンプル数：１９２０サンプル，フレームあたりの有効ライン数：１０８０ライン，サンプリング周波数：７４．２５ＭＨｚもしくは７４．２５／１．００１ＭＨｚ（本願においてはこれらのいずれをも７４．２５ＭＨｚという。）あるいは１４８．５ＭＨｚ，量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１４】
さらに、前述のＨＤディジタル映像信号あるいはＤ−Ｃｉｎｅｍａ信号とは別に、フレームレートを６０Ｈｚとし、各フレームにおける有効ライン数が７２０ラインに設定され、また、各ラインにおける有効データサンプル数が１２８０サンプルに設定されたプログレッシブ方式のディジタル映像信号（本願においては、斯かるディジタル映像信号を７２０Ｐ信号と呼ぶ）が提案されている。このような７２０Ｐ信号を成すディジタルデータは、ＳＭＰＴＥにより制定された規格：ＳＭＰＴＥ　２９６Ｍ　によるフォーマットの規格化が図られている。斯かる　ＳＭＰＴＥ　２９６Ｍ　により規格化されたフォーマットにあっては、フレームレート：　６０Ｈｚ，フレームあたりの有効ライン数：７２０ライン，ラインあたりの有効データサンプル数：１２８０サンプルのみならず、各フレームにおけるライン数：７５０ライン，サンプリング周波数：７４．２５ＭＨｚ，量子化ビット数：８ビットもしくは１０ビット等々が決められている。そして、パラレルデータインターフェースは、Ｙ，ＰＢ　／ＰＲ　形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１５】
７２０Ｐ信号は、ディジタル映像信号の分野におけるＨＤディジタル映像信号への移行期において提案されたものであって、フレームあたりの有効ライン数及びラインあたりの有効データサンプル数が、ＨＤディジタル映像信号が１０８０ライン及び１９２０サンプルであるのに対して、７２０ライン及び１２８０サンプルとされて、ＨＤディジタル映像信号の場合の２／３であるので、それに基づいて再生される画像の解像度においてはＨＤディジタル映像信号に比して劣るものの、フレームレートが６０Ｈｚであることからして、動きの速い画像をあらわす信号としての利用に適している。
【００１６】
こうした状況のなかで、ＨＤディジタル映像信号，Ｄ−Ｃｉｎｅｍａ信号あるいは７２０Ｐ信号等のディジタル映像信号を形成するディジタルデータについて、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。しかしながら、前述の　ＳＭＰＴＥ　２７４Ｍ，　ＳＭＰＴＥ　２９６Ｍ　等を含む現行のディジタル映像信号を成すディジタルデータに関する規格にあっては、量子化ビット数を８ビットもしくは１０ビットとするものについての規格化は図られているが、量子化ビット数を８ビットもしくは１０ビットを越えるビット数、例えば、１２ビット，１４ビット，１６ビット等とするものについては規格化されていない。
【００１７】
さらに、量子化ビット数を、例えば、１２ビット，１４ビットもしくは１６ビットとするディジタル映像信号を成すディジタルデータにあっては、その伝送に伴う問題もある。即ち、ディジタル映像信号を成すディジタルデータの伝送にあたっては、シリアルデータに変換されて伝送されるシリアル伝送が望まれることになるが、現行のもとでは、量子化ビット数を８ビットもしくは１０ビットとする４：２：２形式のＨＤディジタル信号を成すディジタルデータについて、前述のＢＴＡによって制定された規格であるＢＴＡ　Ｓ−００４　による　ＨＤ　ＳＤＩ　（Ｈｉｇｈ　Ｄｅｆｉｎｉｔｉｏｎ　Ｓｅｒｉａｌ　Ｄｉｇｉｔａｌ　Ｉｎｔｅｒｆａｃｅ）を用いて伝送することが規格化されているだけで、他の形式のディジタルデータ、例えば、４：４：４　形式のディジタル映像信号を成すディジタルデータ，量子化ビット数を１０ビットを越えるものとするディジタル映像信号を成すディジタルデータのシリアル伝送については、規格化されていない。
【００１８】
また、上述の如くにディジタル化が図られる映像信号に関連して、当該映像信号が他の映像信号と合成される際に利用される、Ｋｅｙ信号（Ｋｅｙ　Ｓｉｇｎａｌ）　が提案されている。Ｋｅｙ信号は、関連する映像信号についての不透明さあるいは透明さ（ｏｐａｃｉｔｙ　ｏｒ　ｔｒａｎｓｐａｒｅｎｃｙ）　をあらわす信号であって、“ＳＭＰＴＥ　ＲＥＣＯＭＭＥＮＤＥＤ　ＰＲＡＣＴＩＣＥ”ＲＰ　１５７−１９９５　として推奨されている。
【００１９】
４：２：２形式のディジタル映像信号に関連するＫｅｙ信号は、それを成すディジタルデータであるＫｅｙ信号データ系列が、当該ディジタル映像信号を成すディジタルデータに含まれるＹデータ系列と同等のデータフォーマットを有し、Ｙデータ系列と同様に扱われるものとされる。また、４：４：４形式のディジタル映像信号に関連するＫｅｙ信号は、それを成すディジタルデータであるＫｅｙ信号データ系列が、当該ディジタル映像信号を成すディジタルデータに含まれるＧデータ系列と同等のデータフォーマットを有し、Ｇデータ系列と同様に扱われるものとされる。
【００２０】
そして、４：２：２形式もしくは４：４：４形式のディジタル映像信号を成すディジタルデータの伝送にあたっては、当該ディジタル映像信号を成すディジタルデータとそれに関連するＫｅｙ信号データ系列とを伝送することが要求される場合も少なくない。斯かる場合には、４：２：２形式もしくは４：４：４形式のディジタル映像信号を成すディジタルデータに加えて、それに関連するＫｅｙ信号データ系列が、伝送されるディジタル映像信号を成すディジタルデータに付随する付加情報データ系列として伝送されること、さらには、このような両者の伝送が、例えば、量子化ビット数を１０ビットとするディジタル映像信号を成すディジタルデータのシリアル伝送に用いられる現存する回路構成要素が利用されて行われるようにされることが、実施にあたっての容易さ，コストの低減化等の観点から望まれる。
【００２１】
量子化ビット数を１０　ビット，１２ビット，１４ビットもしくは１６ビットとする各種のＤ−Ｃｉｎｅｍａ信号についての詳細は、例えば、図２３に示される表図にあらわされる如くであり、また、量子化ビット数を１０　ビット，１２ビット，１４ビットもしくは１６ビットとする各種の７２０Ｐ信号及び７２０Ｐ信号とＫｅｙ信号との組合せについての詳細は、例えば、図２４に示される表図にあらわされる如くである。
【００２２】
このような、Ｄ−Ｃｉｎｅｍａ信号，７２０Ｐ信号等を含むディジタル映像信号もしくは斯かるディジタル映像信号及びＫｅｙ信号は、例えば、撮像動作を行って映像信号を形成するビデオカメラから得られて、それを記録するとともに必要に応じて再生するビデオテープレコーダ（ＶＴＲ）を備えた信号記録再生部に供給されるものとされる。
【００２３】
ビデオカメラによる撮像及び信号記録再生部によるビデオカメラからの映像信号の記録再生が行われるにあたり、例えば、テレビジョン放送局等により放送番組情報の収録がなされる場合には、一般に、複数のビデオカメラが使用され、複数のビデオカメラによりカメラ部が構成される。そして、カメラ部を構成する複数のビデオカメラの夫々から得られる映像信号もしくは映像信号及びＫｅｙ信号が、信号記録再生部へと送られる。
【００２４】
カメラ部における複数のビデオカメラによる撮像が行われる際には、夫々のビデオカメラを操作する者（カメラマン）にとって、他のビデオカメラによる撮像状況を知ることが必要とされ、それゆえ、各ビデオカメラに備えられた画像モニター上において、他のビデオカメラから得られる映像信号に基づく再生画像が得られるようにされる。そのため、各ビデオカメラから得られて信号記録再生部へと送られた映像信号が、信号記録再生部において所定の処置が施されて、信号記録再生部から複数のビデオカメラにより構成されるカメラ部に供給される。
【００２５】
複数のビデオカメラにより構成されるカメラ部に供給される映像信号は、カメラ部における各ビデオカメラに備えられた画像モニター上における画像再生に用いられるものであるので、それに基づく再生画像が格別に高品質であることは要求されない。そこで、斯かる映像信号は、例えば、他のビデオカメラから得られる映像信号に圧縮処理等が施されて得られる、伝送容量が制限されて伝送が容易なものとされる。以下、こうした、例えば、圧縮処理等が施されて得られる映像信号をリターン映像信号と呼ぶ。
【００２６】
このように、カメラ部と信号記録再生部との間では、カメラ部における複数のビデオカメラの夫々から得られる映像信号もしくは映像信号及びＫｅｙ信号が、例えば、ＶＴＲを備えた信号記録再生部へと伝送されるとともに、所定の処置が施されたリターン映像信号が信号記録再生部からカメラ部へと伝送され、カメラ部と信号記録再生部との間において、映像信号もしくは映像信号及びＫｅｙ信号とリターン映像信号との双方向伝送が行われることになる。リターン映像信号は、例えば、複数とされる。
【００２７】
カメラ部を構成する複数のビデオカメラの夫々から得られる映像信号が、例えば、Ｄ−Ｃｉｎｅｍａ信号あるいは７２０Ｐ信号とされる場合には、リターン映像信号もディジタル信号、即ち、ディジタルリターン映像信号とされる。Ｄ−Ｃｉｎｅｍａ信号あるいは７２０Ｐ信号とディジタルリターン映像信号との夫々は、伝送されるに際しては、シリアルディジタルデータとされる。
【００２８】
そして、カメラ部を構成する複数のビデオカメラの夫々から得られるＤ−Ｃｉｎｅｍａ信号あるいは７２０Ｐ信号、もしくは、Ｄ−Ｃｉｎｅｍａ信号あるいは７２０Ｐ信号及びＫｅｙ信号とディジタルリターン映像信号とを、カメラ部と信号記録再生部との間において双方向伝送するにあたり、Ｄ−Ｃｉｎｅｍａ信号あるいは７２０Ｐ信号、もしくは、Ｄ−Ｃｉｎｅｍａ信号あるいは７２０Ｐ信号及びＫｅｙ信号を形成するディジタルデータとディジタルリターン映像信号を形成するディジタルデータとの夫々を光信号に変換し、伝送信号容量が大で優れた伝送効率が得られる光信号伝送ケーブルを通じて伝送することが考えられる。その際には、カメラ部と信号記録再生部とを連結する光信号伝送ケーブルを形成するものとして、所謂、光ファイバーが用いられることになる。
【００２９】
このような光信号伝送ケーブルを形成する光ファイバーは、例えば、石英系シングルモードファイバー（石英系ＳＭＦ）とされる。この石英系ＳＭＦは、例えば、コア径を１０μｍとし、クラッド径を１２５μｍとして、伝播モードを１個とするものとされ、伝送周波数帯域が広く、伝播損失が低く抑えられるという特徴を有している。従って、光信号による高速・長距離通信の用途に向いており、ビデオカメラから得られるディジタル映像信号に基づく光信号の伝送に適している。
【００３０】
石英系ＳＭＦは、例えば、図２５に示される減衰特性に従った光信号の減衰を生じ、また、図２６に示される分散特性に従った光信号の分散を生じる。光信号の分散とは、光信号の周波数スペクトルの広がりと光ファイバーの材料及び構造に起因して生じる光信号の伝播時間の広がりあるいは波形歪みである。図２５に示される減衰特性にあっては、波長を略１．３μｍとする光及び波長を略１．５５μｍとする光に対して減衰の極小値を示している。また、図２６に示される分散特性にあっては、波長を略１．３μｍとする光の分散が最小となる。
【００３１】
【発明が解決しようとする課題】
上述の如くにして、カメラ部を構成する複数のビデオカメラの夫々から得られるＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々を光信号に変換し、光信号伝送ケーブルを用いて、カメラ部と信号記録再生部との間において双方向伝送するにあたっては、カメラ部と信号記録再生部との間において、複数の光信号が双方向伝送に供されることになる。従って、従前のデータ伝送手法によるのでは、Ｄ−Ｃｉｎｅｍａ信号，７２０Ｐ信号等とされるディジタル映像信号もしくは斯かるディジタル映像信号及びＫｅｙ信号を形成するディジタルデータのシリアル伝送については、ディジタル映像信号もしくはディジタル映像信号及びＫｅｙ信号を形成するディジタルデータを複数の信号チャンネルに分割して伝送せざるを得ないこともあって、カメラ部と信号記録再生部との間に、多数の光信号伝送ケーブルが並列的に配されることが必要とされ、それにより、大なるケーブル設置用スペースが要されるとともに、コストが嵩むことになってしまう。
【００３２】
そこで、カメラ部を構成する複数のビデオカメラの夫々から得られるＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送を、光信号伝送ケーブルの数を１本とすることができるように、効率良く行えるデータ伝送システムが望まれるところとなるが、従来にあっては、このようなデータ伝送システムは見当たらない。
【００３３】
斯かる点に鑑み、本願の特許請求の範囲に記載された発明は、複数のシリアルディジタルデータに基づく複数の光信号を、例えば、共通の光信号伝送ケーブルについて双方向に伝送することができ、それゆえ、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータ、の夫々が変換されて得られる複数の光信号の、カメラ部と信号記録再生部との間における光信号伝送ケーブルを用いての双方向伝送に適用される際には、その双方向伝送を、１本の光信号伝送ケーブルを用いて効率良く行えることになるデータ伝送方法、及び、斯かる方法の実施に供されるデータ伝送装置を提供する。
【００３４】
【課題を解決するための手段】
本願の特許請求の範囲における請求項１から請求項５までのいずれかに記載された発明に係るデータ伝送方法は、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じたパラレルデータに基づく第１から第４までのワード列データを形成し、第１から第４までのワード列データに夫々基づく第１から第４までのシリアルデータを得て、第１から第４までのシリアルデータを所定の波長間隔をおいて順次近接する第１から第４までの中心波長を夫々有した第１から第４までの光信号に変換し、それらを合波して多重光信号を得、その多重光信号を、一端部側に第１及び第２の入出力端が設けられるとともに他端部側に第３の入出力端が設けられて成る第１の双方向性波長多重カップラ（双方向性ＷＤＭカップラ）における第１の入出力端に供給し、それにより第３の入出力端に導出される多重光信号を、光信号伝送ケーブルに送出してその一端側から他端側へと伝送するとともに、第５のシリアルデータを第５の光信号に変換して、その第５の光信号を、一端部側に第４及び第５の入出力端が設けられるとともに他端部側に第６の入出力端が設けられて成る第２の双方向性ＷＤＭカップラにおける第４の入出力端に供給し、それにより第６の入出力端に導出される第５の光信号を、前述の光信号伝送ケーブルに送出してその他端側から一端側へと伝送し、光信号伝送ケーブルの他端側に伝送された多重光信号を、第２の双方向性ＷＤＭカップラの第５の入出力端に導出し、それに分波処理および光電処理を施して第１から第４までのシリアルデータを再生するとともに、光信号伝送ケーブルの一端側に伝送された第５の光信号を、第１の双方向性ＷＤＭカップラの第２の入出力端に導出して、それに光電処理を施して第５のシリアルデータを再生するものとされる。
【００３５】
本願の特許請求の範囲における請求項６から請求項１１までのいずれかに記載された発明に係るデータ伝送方法は、フレームレートを６０Ｈｚとし、各フレームにおける有効ライン数が７２０ライン，各ラインにおける有効データサンプル数が１２８０サンプルに設定されたディジタル映像信号に応じたパラレルデータに基づく第１から第３までのワード列データを得、それらに夫々基づく第１から第３までのシリアルデータを得て、第１から第３までのシリアルデータを所定の波長間隔をおいて順次近接する第１から第３までの中心波長を夫々有した第１から第３までの光信号に変換し、それらを一端部側に第１から第４までの入出力端が設けられるとともに他端部側に第５の入出力端が設けられて成る第１の双方向性ＷＤＭカップラにおける第１，第２及び第３の入出力端に夫々供給して、第５の入出力端に多重光信号を導出し、その多重光信号を、一端部側に第６及び第７の入出力端が設けられるとともに他端部側に第８の入出力端が設けられて成る第２の双方向性ＷＤＭカップラにおける第６の入出力端に供給し、それにより第８の入出力端に導出される多重光信号を、光信号伝送ケーブルに送出してその一端側から他端側へと伝送し、第４のシリアルデータを第３の中心波長に所定の波長間隔をおいて近接する第４の中心波長を有した第４の光信号に変換して、その第４の光信号を、一端部側に第９から第１２までの入出力端が設けられるとともに他端部側に第１３の入出力端が設けられて成る第３の双方向性ＷＤＭカップラにおける第１２の入出力端に供給し、それにより第１３の入出力端に導出される第４の光信号を、一端部側に第１４及び第１５の入出力端が設けられるとともに他端部側に第１６の入出力端が設けられて成る第４の双方向性ＷＤＭカップラにおける第１４の入出力端に供給し、それにより第１６の入出力端に導出される第４の光信号を、前述の光信号伝送ケーブルに送出してその他端側から一端側へと伝送するとともに、第５のシリアルデータを第５の光信号に変換して、その第５の光信号を、第４の双方向性ＷＤＭカップラにおける第１５の入出力端に供給し、それにより第１６の入出力端に導出される第５の光信号を、前述の光信号伝送ケーブルに送出してその他端側から一端側へと伝送し、光信号伝送ケーブルの他端側に伝送された多重光信号を、第４の双方向性ＷＤＭカップラの第１４の入出力端に導出して、さらに、それを第３の双方向性ＷＤＭカップラの第９から第１１までの入出力端に第１から第３までの光信号として導出し、それらの夫々に光電処理を施して、第１から第３までのシリアルデータを再生し、前述の光信号伝送ケーブルの一端側に伝送された第４の光信号を、第２の双方向性ＷＤＭカップラの第６の入出力端に導出して、さらに、それを第１の双方向性ＷＤＭカップラの第４の入出力端に導出し、それに光電処理を施して第４のシリアルデータを再生するとともに、前出の光信号伝送ケーブルの一端側に伝送された第５の光信号を、第２の双方向性ＷＤＭカップラの第７の入出力端に導出し、それに光電処理を施して第５のシリアルデータを再生するものとされる。
【００３６】
また、本願の特許請求の範囲における請求項１２に記載された発明に係るデータ伝送装置は、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じたパラレルデータに基づく第１から第４までのワード列データを形成するデータ処理部と、第１から第４までのワード列データに夫々基づく第１から第４までのシリアルデータを得るパラレル／シリアル（Ｐ／Ｓ）変換部と、第１から第４までのシリアルデータを所定の波長間隔をおいて相互近接する第１から第４までの中心波長を夫々有した第１から第４までの光信号に変換する第１から第４までの電光（Ｅ／Ｏ）変換部と、第１から第４までの光信号を合波して多重光信号を得る多重光信号形成部と、一端部側に第１及び第２の入出力端が設けられるとともに他端部側に第３の入出力端が設けられて成り、多重光信号が第１の入出力端に供給されて第３の入出力端に導出される第１の双方向性ＷＤＭカップラと、第５のシリアルデータを第５の光信号に変換する第５のＥ／Ｏ変換部と、一端部側に第４及び第５の入出力端が設けられるとともに他端部側に第６の入出力端が設けられて成り、第５の光信号が第４の入出力端に供給されて第６の入出力端に導出される第２の双方向性ＷＤＭカップラと、第１の双方向性ＷＤＭカップラの第３の入出力端に導出される多重光信号を一端側から他端側へと伝送するとともに、第２の双方向性ＷＤＭカップラの第６の入出力端に導出される第５の光信号を他端側から一端側へと伝送する光信号伝送ケーブルと、光信号伝送ケーブルの他端側に得られ、第２の双方向性ＷＤＭカップラを第６の入出力端から第５の入出力端へと通じて導出される多重光信号を、第１から第４までの光信号に分波する分波部と、分波部から得られる第１から第４までの光信号を第１から第４までのシリアルデータに変換する第１から第４までの光電（Ｏ／Ｅ）変換部と、前述の光信号伝送ケーブルの一端側に得られ、第１の双方向性ＷＤＭカップラを第３の入出力端から第２の入出力端へと通じて導出される第５の光信号を第５のシリアルデータに変換する第５のＯ／Ｅ変換部と、を備えて構成される。
【００３７】
さらに、本願の特許請求の範囲における請求項１３に記載された発明に係るデータ伝送装置は、フレームレートを６０Ｈｚとし、各フレームにおける有効ライン数が７２０ライン，各ラインにおける有効データサンプル数が１２８０サンプルに設定されたディジタル映像信号に応じたパラレルデータに基づく第１から第３までのワード列データを得るデータ処理部と、第１から第３までのワード列データに夫々基づく第１から第３までのシリアルデータを得るＰ／Ｓ変換部と、第１から第３までのシリアルデータを所定の波長間隔をおいて順次近接する第１から第３までの中心波長を夫々有した第１から第３までの光信号に変換する第１から第３までのＥ／Ｏ変換部と、一端部側に第１から第４までの入出力端が設けられるとともに他端部側に第５の入出力端が設けられて成り、第１から第３までの光信号が第１から第３までの入出力端に供給されて第５の入出力端に多重光信号が導出される第１の双方向性ＷＤＭカップラと、一端部側に第６及び第７の入出力端が設けられるとともに他端部側に第８の入出力端が設けられて成り、第１の双方向性ＷＤＭカップラの第５の入出力端に導出される多重光信号が第６の入出力端に供給されて第８の入出力端に導出される第２の双方向性ＷＤＭカップラと、第４のシリアルデータを第３の中心波長に所定の波長間隔をおいて近接する第４の中心波長を有した第４の光信号に変換する第４のＥ／Ｏ変換部と、第５のシリアルデータを第５の光信号に変換する第５のＥ／Ｏ変換部と、一端部側に第９から第１２までの入出力端が設けられるとともに他端部側に第１３の入出力端が設けられて成り、第４の光信号が第１２の入出力端に供給されて第１３の入出力端に導出される第３の双方向性ＷＤＭカップラと、一端部側に第１４及び第１５の入出力端が設けられるとともに他端部側に第１６の入出力端が設けられて成り、第３の双方向性ＷＤＭカップラの第１３の入出力端に導出される第４の光信号が第１４の入出力端に供給されて第１６の入出力端に導出されるとともに、第５の光信号が第１５の入出力端に供給されて第１６の入出力端に導出される第４の双方向性ＷＤＭカップラと、第２の双方向性ＷＤＭカップラの第８の入出力端に導出される多重光信号を一端側から他端側へと伝送するとともに、第４の双方向性ＷＤＭカップラの第１６の入出力端に導出される第４及び第５の光信号を他端側から一端側へと伝送する光信号伝送ケーブルと、光信号伝送ケーブルの他端側に得られ、第４の双方向性ＷＤＭカップラを第１６の入出力端から第１４の入出力端へと通じた多重光信号が、第３の双方向性ＷＤＭカップラに第１３の入出力端から供給されて、第３の双方向性ＷＤＭカップラの第９から第１１までの入出力端に導出される第１から第３までの光信号を、第１から第３までのシリアルデータに変換する第１から第３までのＯ／Ｅ変換部と、前述の光信号伝送ケーブルの一端側に得られ、第２の双方向性ＷＤＭカップラを第８の入出力端から第６の入出力端へと通じ、さらに、第１の双方向性ＷＤＭカップラを第５の入出力端から第４の入出力端へと通じて導出される第４の光信号を第４のシリアルデータに変換する第４のＯ／Ｅ変換部と、前述の光信号伝送ケーブルの一端側に得られ、第２の双方向性ＷＤＭカップラを第８の入出力端から第７の入出力端へと通じて導出される第５の光信号を第５のシリアルデータに変換する第５のＯ／Ｅ変換部と、を備えて構成される。
【００３８】
上述の如くの本願の特許請求の範囲における請求項１から請求項５までのいずれかに記載された発明に係るデータ伝送方法、あるいは、請求項１２に記載された発明に係るデータ伝送装置にあっては、フレームレートを５０Ｈｚもしくは６０Ｈｚとし、各フレームにおける有効ライン数が１０８０ライン，各ラインにおける有効データサンプル数が１９２０サンプルに設定されたディジタル映像信号を成すディジタルデータに基づく第１から第４までのシリアルデータと、それらとは別の第５のシリアルデータとが、光信号に変換され、１　本の光信号伝送ケーブルが用いられて双方向伝送される。ディジタル映像信号は、例えば、量子化ビット数を１０ビット，１２ビット，１４ビットもしくは１６ビットとする４：２：２形式もしくは４：４：４形式のものとされる。
【００３９】
そして、１本の光信号伝送ケーブルを通じた各光信号の伝送先において、第１から第４までのシリアルデータと第５のシリアルデータとが夫々再生される。
【００４０】
斯かる際には、第１から第４までのシリアルデータと第５のシリアルデータとの双方向伝送は、例えば、ディジタル映像信号の　ＨＤ　ＳＤＩ　に従ったシリアル伝送に用いられる現存する回路構成要素を利用して、行うことができることになる。
【００４１】
さらに、本願の特許請求の範囲における請求項６から請求項１１までのいずれかに記載された発明に係るデータ伝送方法、あるいは、請求項１３に記載された発明に係るデータ伝送装置にあっては、フレームレートを６０Ｈｚとし、各フレームにおける有効ライン数が７２０ライン，各ラインにおける有効データサンプル数が１２８０サンプルに設定されたディジタル映像信号を成すディジタルデータに基づく第１から第３までのシリアルデータと、それらとは別の第４及び第５のシリアルデータとが、光信号に変換され、１　本の光信号伝送ケーブルが用いられて双方向伝送される。ディジタル映像信号は、例えば、量子化ビット数を１２ビット，１４ビットもしくは１６ビットとする４：２：２形式もしくは４：４：４形式のものとされる。
【００４２】
そして、１本の光信号伝送ケーブルを通じた各光信号の伝送先において、第１から第３までのシリアルデータと第４及び第５のシリアルデータとが夫々再生される。
【００４３】
斯かる際にも、第１から第３までのシリアルデータと第４及び第５のシリアルデータとの双方向伝送は、例えば、ディジタル映像信号の　ＨＤ　ＳＤＩ　に従ったシリアル伝送に用いられる現存する回路構成要素を利用して、行うことができることになる。
【００４４】
このような本願の特許請求の範囲に記載された発明に係るデータ伝送方法あるいはデータ伝送装置が、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送に適用される際には、斯かる複数の光信号のカメラ部と信号記録再生部との間における光信号伝送ケーブルを用いての双方向伝送を、現存する回路構成要素を利用し、１　本の光信号伝送ケーブルを用いて、効率良く行うことができることになり、コストの低減等が効果的に図られる。
【００４５】
【発明の実施の形態】
図１及び図２は、本願の特許請求の範囲における請求項１から請求項５までのいずれかに記載された発明に係るデータ伝送方法の例が実施される、本願の特許請求の範囲における請求項１２に記載された発明に係るデータ伝送装置の例を示す。
【００４６】
図１及び図２に示される例においては、カメラ部１０と信号記録再生部１１との間における、Ｄ−Ｃｉｎｅｍａ信号を成すディジタルデータとディジタルリターン映像信号を形成するディジタルデータとの双方向伝送を行うものとされている。カメラ部１０からは、データＤＶＸＸが送出されて、それがデータ処理部１２に供給される。
【００４７】
データＤＶＸＸは、例えば、図２３に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【００４８】
データＤＶＸＸが、図２３に示される、量子化ビット数を１２ビット，１４ビットもしくは１６ビットとする４：２：２形式のＤ−Ｃｉｎｅｍａ信号を成すデータＤＣ１２，ＤＣ１４及びＤＣ１６のいずれか、例えば、データＤＣ１２である場合には、データＤＣ１２は、図３のＡに示される如くに、ワード伝送レートを１４８．５ＭＢｐｓとする１２ビットワード列データとされたＹデータ系列とワード伝送レートを１４８．５ＭＢｐｓとする１２ビットワード列データとされたＰＢ　／ＰＲ　データ系列とが、フレーム同期及びライン同期がとられたもとでパラレル多重されて得られる、ワード伝送レートを１４８．５ＭＢｐｓとする２４ビットワード列データとして、データ処理部１２に供給される。
【００４９】
データ処理部１２にあっては、図３のＡに示される如くにして供給されるデータＤＣ１２に対して、Ｙデータ系列を構成する１２ビットワードＹＤ０，ＹＤ１，ＹＤ２，ＹＤ３，・・・・・、及び、ＰＢ　／ＰＲ　データ系列を構成する１２ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰＢ　／ＰＲ　データ系列の夫々の１ライン部置きのデータに基づいて、ワード伝送レートを１４８．５ＭＢｐｓ／２＝７４．２５ＭＢｐｓとする２４ビットワード列データＤＣ１２Ａを、リンクＡとして、図３のＢに示される如くに形成するとともに、グループ２を構成するＹデータ系列及びＰＢ　／ＰＲ　データ系列の夫々の他の１ライン部置きのデータに基づいて、ワード伝送レートを１４８．５ＭＢｐｓ／２＝７４．２５ＭＢｐｓとする２４ビットワード列データＤＣ１２Ｂを、リンクＢとして、図３のＢに示される如くに形成する。
【００５０】
次に、図３のＢに示される如くの、ワード伝送レートを７４．２５ＭＢｐｓとする２４ビットワード列データＤＣ１２Ａに対して、Ｙデータ系列を構成する１２ビットワードＹＤ０，ＹＤ１，ＹＤ２，ＹＤ３，・・・・・、及び、ＰＢ　／ＰＲ　データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【００５１】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＣ１２Ａ１を、分割された上位１０ビットに基づくリンクＡ−１として、図４のＡに示される如くに形成する。
【００５２】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＣ１２Ａ２を、分割された下位２ビットに基づくリンクＡ−２として、図４のＢに示される如くに形成する。即ち、ワード伝送レートを７４．２５ＭＢｐｓとする２４ビットワード列データであるＤＣ１２Ａを、ワード伝送レートを７４．２５ＭＢｐｓとする２０ビットワード列データＤＣ１２Ａ１と、ワード伝送レートを７４．２５ＭＢｐｓとする２０ビットワード列データＤＣ１２Ａ２との、２系統のワード列データに変換するのである。
【００５３】
また、図３のＢに示される如くの、ワード伝送レートを７４．２５ＭＢｐｓとする２４ビットワード列データＤＣ１２Ｂに対しても、Ｙデータ系列を構成する１２ビットワードＹＤ０，ＹＤ１，ＹＤ２，ＹＤ３，・・・・・、及び、ＰＢ　／ＰＲ　データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【００５４】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＣ１２Ｂ１を、分割された上位１０ビットに基づくリンクＢ−１として、図４のＡに示される如くに形成する。
【００５５】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＣ１２Ｂ２を、分割された下位２ビットに基づくリンクＢ−２として、図４のＢに示される如くに形成する。即ち、ワード伝送レートを７４．２５ＭＢｐｓとする２４ビットワード列データであるＤＣ１２Ｂを、ワード伝送レートを７４．２５ＭＢｐｓとする２０ビットワード列データＤＣ１２Ｂ１と、ワード伝送レートを７４．２５ＭＢｐｓとする２０ビットワード列データＤＣ１２Ｂ２との、２系統のワード列データに変換するのである。
【００５６】
その結果、データ処理部１２に供給されるディジタルデータＤＶＸＸが、ワード伝送レートを１４８．５ＭＢｐｓとする２４ビットワード列データとされるデータＤＣ１２である場合には、データ処理部１２において、２４ビットワード列データＤＣ１２が、各々がワード伝送レートを７４．２５ＭＢｐｓとする２０ビットワード列データＤＣ１２Ａ１，ＤＣ１２Ａ２，ＤＣ１２Ｂ１及びＤＣ１２Ｂ２の４系統のワード列データに変換されることになる。
【００５７】
データＤＶＸＸが、図２３に示されるデータＤＣ１４もしくはデータＤＣ１６である場合には、データＤＣ１４はワード伝送レートを１４８．５ＭＢｐｓとする２８ビットワード列データとされ、また、データＤＣ１６はワード伝送レートを１４８．５ＭＢｐｓとする３２ビットワード列データとされる。そして、データＤＶＸＸがデータＤＣ１２である場合と同様にして、各々がワード伝送レートを７４．２５ＭＢｐｓとする２０ビットワード列データＤＣ１４Ａ１，ＤＣ１４Ａ２，ＤＣ１４Ｂ１及びＤＣ１４Ｂ２の４系統のワード列データ、もしくは、各々がワード伝送レートを７４．２５ＭＢｐｓとする２０ビットワード列データＤＣ１６Ａ１，ＤＣ１６Ａ２，ＤＣ１６Ｂ１及びＤＣ１６Ｂ２の４系統のワード列データが形成される。
【００５８】
但し、斯かる際には、データＤＶＸＸがデータＤＣ１２である場合に、Ｙデータ系列を構成する各１２ビットワード及びＰＢ　／ＰＲ　データ系列を構成する各１２ビットワードの夫々を、上位１０ビットと下位２ビットとに分割するのに代えて、データＤＶＸＸがＤＣ１４である場合には、Ｙデータ系列を構成する各１４ビットワード及びＰＢ　／ＰＲ　データ系列を構成する各１４ビットワードの夫々を、上位１０ビットと下位４ビットとに分割し、また、データＤＶＸＸがデータＤＣ１６である場合には、Ｙデータ系列を構成する各１６ビットワード及びＰＢ　／ＰＲ　データ系列を構成する各１６ビットワードの夫々を、上位１０ビットと下位６ビットとに分割する。それにより、ワード伝送レートを１４８．５ＭＢｐｓとする２８ビットワード列データであるデータＤＣ１４を、各々がワード伝送レートを７４．２５ＭＢｐｓとする２０ビットワード列データＤＣ１４Ａ１，ＤＣ１４Ａ２，ＤＣ１４Ｂ１及びＤＣ１４Ｂ２の４系統のワード列データに変換し、また、ワード伝送レートを１４８．５ＭＢｐｓとする３２ビットワード列データであるデータＤＣ１６を、各々がワード伝送レートを７４．２５ＭＢｐｓとする２０ビットワード列データＤＣ１６Ａ１，ＤＣ１６Ａ２，ＤＣ１６Ｂ１及びＤＣ１６Ｂ２の４系統のワード列データに変換するのである。
【００５９】
データＤＶＸＸが、図２３に示される、量子化ビット数を１０ビットとする４：４：４形式のＤ−Ｃｉｎｅｍａ信号を成すデータＤＤ１０である場合には、データＤＤ１０は、図５のＡに示される如くに、ワード伝送レートを１４８．５ＭＢｐｓとする１０ビットワード列データとされたＧデータ系列と、ワード伝送レートを１４８．５ＭＢｐｓとする１０ビットワード列データとされたＢデータ系列と、ワード伝送レートを１４８．５ＭＢｐｓとする１０ビットワード列データとされたＲデータ系列とが、フレーム同期及びライン同期がとられたもとでパラレル多重されて得られる、ワード伝送レートを１４８．５ＭＢｐｓとする３０ビットワード列データとして、データ処理部１２に供給される。
【００６０】
データ処理部１２にあっては、図５のＡに示される如くにして供給されるデータＤＤ１０に対して、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３０ビットワード列データＤＤ１０Ａを、リンクＡとして、図５のＢに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３０ビットワード列データＤＤ１０Ｂを、リンクＢとして、図５のＢに示される如くに形成する。
【００６１】
続いて、図５のＢに示される如くに得られる３０ビットワード列データＤＤ１０Ａに対して、図６に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・に、補助データ系列を形成する１０ビットワードａｄ０，ａｄ１，ａｄ２，ａｄ３，・・・・・を付加する。そして、図６において太実線により区画されて示される如くに、Ｇデータ系列を形成する１０ビットワードＧＤ０，ＧＤ１，ＧＤ２，ＧＤ３，・・・・・と、Ｂデータ系列を構成する１０ビットワードのうちの１個置きのものＢＤ０，ＢＤ２，ＢＤ４，ＢＤ６，・・・・・と、Ｒデータ系列を構成する１０ビットワードのうちの１個置きのものＲＤ０，ＲＤ２，ＲＤ４，ＲＤ６，・・・・・とを含む１０ビットワードグループ１と、補助データ系列を形成する１０ビットワードａｄ０，ａｄ１，ａｄ２，ａｄ３，・・・・・と、Ｂデータ系列を構成する１０ビットワードのうちの他の１個置きのものＢＤ１，ＢＤ３，ＢＤ５，ＢＤ７，・・・・・と、Ｒデータ系列を構成する１０ビットワードのうちの他の１個置きのものＲＤ１，ＲＤ３，ＲＤ５，ＲＤ７，・・・・・とを含む１０ビットワードグループ２とに振り分ける。
【００６２】
そして、１０ビットワードグループ１に基づき、ワード伝送レートを７４．２５ＭＢｐｓとする２０ビットワード列データＤＤ１０Ａ１を、リンクＡ−１として図７のＡに示される如くに形成する。また、それとともに、１０ビットワードグループ２に基づき、ワード伝送レートを７４．２５ＭＢｐｓとする２０ビットワード列データＤＤ１０Ａ２を、リンクＡ−２として図７のＢに示される如くに形成する。即ち、ワード伝送レートを７４．２５ＭＢｐｓとする３０ビットワード列データであるＤＤ１０Ａを、各々がワード伝送レートを７４．２５ＭＢｐｓとする２０ビットワード列データＤＤ１０Ａ１及びＤＤ１０Ａ２の２系統のワード列データに変換するのである。
【００６３】
また、図５のＢに示される如くに得られる３０ビットワード列データＤＤ１０Ｂに対しても、図６に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・に、補助データ系列を形成する１０ビットワードａｄ０，ａｄ１，ａｄ２，ａｄ３，・・・・・を付加する。そして、図６において太実線により区画されて示される如くに、Ｇデータ系列を形成する１０ビットワードＧＤ０，ＧＤ１，ＧＤ２，ＧＤ３，・・・・・と、Ｂデータ系列を構成する１０ビットワードのうちの１個置きのものＢＤ０，ＢＤ２，ＢＤ４，ＢＤ６，・・・・・と、Ｒデータ系列を構成する１０ビットワードのうちの１個置きのものＲＤ０，ＲＤ２，ＲＤ４，ＲＤ６，・・・・・とを含む１０ビットワードグループ１と、補助データ系列を形成する１０ビットワードａｄ０，ａｄ１，ａｄ２，ａｄ３，・・・・・と、Ｂデータ系列を構成する１０ビットワードのうちの他の１個置きのものＢＤ１，ＢＤ３，ＢＤ５，ＢＤ７，・・・・・と、Ｒデータ系列を構成する１０ビットワードのうちの他の１個置きのものＲＤ１，ＲＤ３，ＲＤ５，ＲＤ７，・・・・・とを含む１０ビットワードグループ２とに振り分ける。
【００６４】
そして、１０ビットワードグループ１に基づき、ワード伝送レートを７４．２５ＭＢｐｓとする２０ビットワード列データＤＤ１０Ｂ１を、リンクＢ−１として図７のＡに示される如くに形成する。また、それとともに、１０ビットワードグループ２に基づき、ワード伝送レートを７４．２５ＭＢｐｓとする２０ビットワード列データＤＤ１０Ｂ２を、リンクＢ−２として図７のＢに示される如くに形成する。即ち、ワード伝送レートを７４．２５ＭＢｐｓとする３０ビットワード列データであるＤＤ１０Ｂを、各々がワード伝送レートを７４．２５ＭＢｐｓとする２０ビットワード列データＤＤ１０Ｂ１及びＤＤ１０Ｂ２の２系統のワード列データに変換するのである。
【００６５】
その結果、データ処理部１２に供給されるデータＤＶＸＸが、ワード伝送レートを１４８．５ＭＢｐｓとする３０ビットワード列データとされるデータＤＤ１０である場合には、データ処理部１２において、データＤＤ１０が、各々がワード伝送レートを７４．２５ＭＢｐｓとする２０ビットワード列データＤＤ１０Ａ１，ＤＤ１０Ａ２，ＤＤ１０Ｂ１及びＤＤ１０Ｂ２の４系統のワード列データに変換されることになる。
【００６６】
データＤＶＸＸが、図２３に示される、量子化ビット数を１２ビットとする４：４：４形式のＤ−Ｃｉｎｅｍａ信号を成すデータＤＤ１２である場合には、データＤＤ１２は、図８のＡに示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部１２に供給される。
【００６７】
データ処理部１２にあっては、図８のＡに示される如くにして供給されるデータＤＤ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３６ビットワード列データＤＤ１２Ａを、リンクＡとして、図８のＢに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３６ビットワード列データＤＤ１２Ｂを、リンクＢとして、図８のＢに示される如くに形成する。
【００６８】
次に、図８のＢに示される如くの、ワード伝送レートを７４．２５ＭＢｐｓとする３６ビットワード列データＤＤ１２Ａに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００６９】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【００７０】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図９において太実線により区切られている如くにして区分された１０ビットワードグループ１及び１０ビットワードグループ２を得る。
【００７１】
そして、図９に示される１０ビットワードグループ１に基づく、ワード伝送レートを７４．２５ＭＢｐｓとする２０ビットワード列データＤＤ１２Ａ１を、リンクＡ−１として、図１０のＡに示される如くに形成するとともに、図９に示される１０ビットワードグループ２に基づく、ワード伝送レートを７４．２５ＭＢｐｓとする２０ビットワード列データＤＤ１２Ａ２を、リンクＡ−２として、図１０のＢに示される如くに形成する。即ち、ワード伝送レートを７４．２５ＭＢｐｓとする３６ビットワード列データであるＤＤ１２Ａを、ワード伝送レートを７４．２５ＭＢｐｓとする２０ビットワード列データＤＤ１２Ａ１と、ワード伝送レートを７４．２５ＭＢｐｓとする２０ビットワード列データＤＤ１２Ａ２との、２系統のワード列データに変換するのである。
【００７２】
また、図８のＢに示される如くの、ワード伝送レートを７４．２５ＭＢｐｓとする３６ビットワード列データＤＤ１２Ｂに対しても、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００７３】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【００７４】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図９において太実線により区切られている如くにして区分された１０ビットワードグループ１及び１０ビットワードグループ２を得る。
【００７５】
そして、図９に示される１０ビットワードグループ１に基づく、ワード伝送レートを７４．２５ＭＢｐｓとする２０ビットワード列データＤＤ１２Ｂ１を、リンクＢ−１として、図１０のＡに示される如くに形成するとともに、図９に示される１０ビットワードグループ２に基づく、ワード伝送レートを７４．２５ＭＢｐｓとする２０ビットワード列データＤＤ１２Ｂ２を、リンクＢ−２として、図１０のＢに示される如くに形成する。即ち、ワード伝送レートを７４．２５ＭＢｐｓとする３６ビットワード列データであるＤＤ１２Ｂを、ワード伝送レートを７４．２５ＭＢｐｓとする２０ビットワード列データＤＤ１２Ｂ１と、ワード伝送レートを７４．２５ＭＢｐｓとする２０ビットワード列データＤＤ１２Ｂ２との、２系統のワード列データに変換するのである。
【００７６】
その結果、データ処理部１２に供給されるデータＤＶＸＸが、ワード伝送レートを１４８．５ＭＢｐｓとする３６ビットワード列データとされるデータＤＤ１２である場合には、データ処理部１２において、データＤＤ１２が、各々がワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の４系統のワード列データに変換されることになる。
【００７７】
データ処理部１２は、上述の如くにして得たワード伝送レートを７４．２５ＭＢｐｓとする２０ビットワード列データＤＣ１２Ａ１，ＤＣ１２Ａ２，ＤＣ１２Ｂ１及びＤＣ１２Ｂ２の組，ＤＣ１４Ａ１，ＤＣ１４Ａ２，ＤＣ１４Ｂ１及びＤＣ１４Ｂ２の組，ＤＣ１６Ａ１，ＤＣ１６Ａ２，ＤＣ１６Ｂ１及びＤＣ１６Ｂ２の組，ＤＤ１０Ａ１，ＤＤ１０Ａ２，ＤＤ１０Ｂ１及びＤＤ１０Ｂ２の組、及び、ＤＤ１２Ａ１，ＤＤ１２Ａ２，ＤＤ１２Ｂ１及びＤＤ１２Ｂ２の組のいずれかを、２０ビットワード列データＤＰＡ１（２０），ＤＰＡ２（２０），ＤＰＢ１（２０）及びＤＰＢ２（２０）の組として導出する。
【００７８】
データ処理部１２から送出されるワード伝送レートを７４．２５ＭＢｐｓとする２０ビットワード列データＤＰＡ１（２０），ＤＰＡ２（２０），ＤＰＢ１（２０）及びＤＰＢ２（２０）は、夫々、Ｐ／Ｓ変換部１３，１４，１５及び１６に供給される。Ｐ／Ｓ変換部１３にあっては、２０ビットワード列データＤＰＡ１（２０）にＰ／Ｓ変換を施して、２０ビットワード列データＤＰＡ１（２０）に基づくビット伝送レートを７４．２５ＭＢｐｓ×２０＝１．４８５ＧｂｐｓとするシリアルデータＤＳＡ１を形成し、Ｐ／Ｓ変換部１４にあっては、２０ビットワード列データＤＰＡ２（２０）にＰ／Ｓ変換を施して、２０ビットワード列データＤＰＡ２（２０）に基づくビット伝送レートを７４．２５ＭＢｐｓ×２０＝１．４８５ＧｂｐｓとするシリアルデータＤＳＡ２を形成し、Ｐ／Ｓ変換部１５にあっては、２０ビットワード列データＤＰＢ１（２０）にＰ／Ｓ変換を施して、２０ビットワード列データＤＰＢ１（２０）に基づくビット伝送レートを７４．２５ＭＢｐｓ×２０＝１．４８５ＧｂｐｓとするシリアルデータＤＳＢ１を形成し、さらに、Ｐ／Ｓ変換部１６にあっては、２０ビットワード列データＤＰＢ２（２０）にＰ／Ｓ変換を施して、２０ビットワード列データＤＰＢ２（２０）に基づくビット伝送レートを７４．２５ＭＢｐｓ×２０＝１．４８５ＧｂｐｓとするシリアルデータＤＳＢ２を形成する。
【００７９】
Ｐ／Ｓ変換部１３から得られるシリアルデータＤＳＡ１，Ｐ／Ｓ変換部１４から得られるシリアルデータＤＳＡ２，Ｐ／Ｓ変換部１５から得られるシリアルデータＤＳＢ１、及び、Ｐ／Ｓ変換部１６から得られるシリアルデータＤＳＢ２は、夫々、Ｅ／Ｏ変換部１７，１８，１９及び２０に供給される。
【００８０】
Ｅ／Ｏ変換部１７は、シリアルデータＤＳＡ１にＥ／Ｏ変換処理を施し、シリアルデータＤＳＡ１に基づく、中心波長を、例えば、略１．５１１μｍとする光信号ＯＡ１を、ビット伝送レートを１．４８５Ｇｂｐｓとするものとして形成し、それを合波部２１に導く。Ｅ／Ｏ変換部１８は、シリアルデータＤＳＡ２に電光変換処理を施し、シリアルデータＤＳＡ２に基づく、中心波長を、例えば、略１．５３１μｍとする光信号ＯＡ２を、ビット伝送レートを１．４８５Ｇｂｐｓとするものとして形成し、それを合波部２１に導く。Ｅ／Ｏ変換部１９は、シリアルデータＤＳＢ１に電光変換処理を施し、シリアルデータＤＳＢ１に基づく、中心波長を、例えば、略１．５５１μｍとする光信号ＯＢ１を、ビット伝送レートを１．４８５Ｇｂｐｓとするものとして形成し、それを合波部２１に導く。さらに、Ｅ／Ｏ変換部２０は、シリアルデータＤＳＢ２に電光変換処理を施し、シリアルデータＤＳＢ２に基づく、中心波長を、例えば、略１．５７１μｍとする光信号ＯＢ２を、ビット伝送レートを１．４８５Ｇｂｐｓとするものとして形成し、それを合波部２１に導く。
【００８１】
合波部２１は、中心波長を略１．５１１μｍとする光信号ＯＡ１と中心波長を略１．５３１μｍとする光信号ＯＡ２と中心波長を略１．５５１μｍとする光信号ＯＢ１と中心波長を略１．５７１μｍとする光信号ＯＢ２とを合波して多重化し、多重光信号ＯＺＺを形成する。
【００８２】
このようにして、合波部２１において多重化される光信号ＯＡ１，ＯＡ２，ＯＢ１及びＯＢ２は、それらの中心波長が略０．０２０μｍずつ隔たっているにすぎない、相互に極めて近接した波長を有するもとで多重化されて、多重光信号ＯＺＺを形成するものとされており、Ｅ／Ｏ変換部１７〜２０と合波部２１とを含む部分においては、Ｃｏａｓｅ　Ｗａｖｅｌｅｎｇｔｈ　Ｄｉｖｉｓｉｏｎ　Ｍｕｌｔｉｐｌｅｘｉｎｇ（ＣＷＤＭ）　と称される波長多重技術が用いられる。
【００８３】
合波部２１から送出される多重光信号ＯＺＺは、双方向性ＷＤＭカップラ２２に供給される。双方向性ＷＤＭカップラ２２は、例えば、図１１に示される如くの等価ブロック接続によってあらわされる構成を有している。図１１に示される等価ブロック接続にあっては、誘電体多層膜部２３が備えられていて、誘電体多層膜部２３の一端部側に、光ファイバー及び光コネクタ２４を介して接続された入出力端２５と、光ファイバー及び光コネクタ２６を介して接続された入出力端２７とが設けられており、また、誘電体多層膜部２３の他端部側に、光ファイバー及び光コネクタ２８を介して接続された入出力端２９が設けられている。
【００８４】
そして、合波部２１からの多重光信号ＯＺＺが、入出力端２５から光コネクタ２４を通じて誘電体多層膜部２３に導かれる。そして、誘電体多層膜部２３を通じた多重光信号ＯＺＺが、光ファイバー及び光コネクタ２８を通じて入出力端２９に導出される。このようにして入出力端２９に導出される多重光信号ＯＺＺは、双方向性ＷＤＭカップラ２２から送出されて、光コネクタ３０へと導かれる。
【００８５】
光コネクタ３０は、双方向性ＷＤＭカップラ２２と光信号伝送ケーブル３１の一端側とを連結している。それにより、双方向性ＷＤＭカップラ２２からの多重光信号ＯＺＺは、光コネクタ３０を通じて光信号伝送ケーブル３１にその一端側から送出される。光信号伝送ケーブル３１は、例えば、石英系ＳＭＦによって形成されたものとされる。
【００８６】
光信号伝送ケーブル３１の他端側には、それと双方向性ＷＤＭカップラ３２とを連結する光コネクタ３３が設けられている。それにより、光コネクタ３０を通じて光信号伝送ケーブル３１にその一端側から送出された多重光信号ＯＺＺは、光信号伝送ケーブル３１の一端側から他端側へと伝送され、その他端側から光コネクタ３３を通じて双方向性ＷＤＭカップラ３２へと導かれる。
【００８７】
双方向性ＷＤＭカップラ３２は、例えば、図１２に示される如くの等価ブロック接続によってあらわされる構成を有している。図１２に示される等価ブロック接続にあっては、誘電体多層膜部３５が備えられていて、誘電体多層膜部３５の一端部側に、光ファイバー及び光コネクタ３６を介して接続された入出力端３７が設けられており、また、誘電体多層膜部３５の他端部側に、光ファイバー及び光コネクタ３８を介して接続された入出力端３９と、光ファイバー及び光コネクタ４０を介して接続された入出力端４１とが設けられている。
【００８８】
そして、光コネクタ３３を通じた多重光信号ＯＺＺが、入出力端３７から光コネクタ３６を通じて誘電体多層膜部３５に導かれる。そして、誘電体多層膜部３５を通じた多重光信号ＯＺＺが、光ファイバー及び光コネクタ３８を通じて入出力端３９に導出される。このようにして入出力端３９に導出される多重光信号ＯＺＺは、双方向性ＷＤＭカップラ３２から送出されて、分波部４５へと導かれる。
【００８９】
分波部４５にあっては、多重光信号ＯＺＺを、中心波長を略１．５１１μｍ　とする成分と中心波長を略１．５３１μｍとする成分と中心波長を略１．５５１μｍとする成分と中心波長を略１．５７１μｍとする成分とに分波して、ビット伝送レートを１．４８５Ｇｂｐｓとし、中心波長を略１．５１１μｍとする光信号ＯＡ１と、ビット伝送レートを１．４８５Ｇｂｐｓとし、中心波長を略１．５３１μｍとする光信号ＯＡ２と、ビット伝送レートを１．４８５Ｇｂｐｓとし、中心波長を略１．５５１μｍとする光信号ＯＢ１と、ビット伝送レートを１．４８５Ｇｂｐｓとし、中心波長を略１．５７１μｍとする光信号ＯＢ２とを再生する。
【００９０】
分波部４５により再生された光信号ＯＡ１，ＯＡ２，ＯＢ１及びＯＢ２は、夫々、Ｏ／Ｅ変換部４６，４７，４８及び４９へと導かれる。Ｏ／Ｅ変換部４６にあっては、ビット伝送レートを１．４８５Ｇｂｐｓとし、中心波長を略１．５１１μｍとする光信号ＯＡ１にＯ／Ｅ変換処理を施して、光信号ＯＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部５０に供給される。Ｏ／Ｅ変換部４７にあっては、ビット伝送レートを１．４８５Ｇｂｐｓとし、中心波長を略１．５３１μｍとする光信号ＯＡ２にＯ／Ｅ変換処理を施して、光信号ＯＡ２に基づく、ビット伝送レートを１．４８５ＧｂｐｓとするシリアルデータＤＳＡ２を再生する。そして、再生されたシリアルデータＤＳＡ２は、Ｓ／Ｐ変換部５１に供給される。Ｏ／Ｅ変換部４８にあっては、ビット伝送レートを１．４８５Ｇｂｐｓとし、中心波長を略１．５５１μｍとする光信号ＯＢ１にＯ／Ｅ変換処理を施して、光信号ＯＢ１に基づく、ビット伝送レートを１．４８５ＧｂｐｓとするシリアルデータＤＳＢ１を再生する。そして、再生されたシリアルデータＤＳＢ１は、Ｓ／Ｐ変換部５２に供給される。さらに、Ｏ／Ｅ変換部４９にあっては、ビット伝送レートを１．４８５Ｇｂｐｓとし、中心波長を略１．５７１μｍとする光信号ＯＢ２にＯ／Ｅ変換処理を施して、光信号ＯＢ２に基づく、ビット伝送レートを１．４８５ＧｂｐｓとするシリアルデータＤＳＢ２を再生する。そして、再生されたシリアルデータＤＳＢ２は、Ｓ／Ｐ変換部５３に供給される。
【００９１】
Ｓ／Ｐ変換部５０は、シリアルデータＤＳＡ１に、２０ビットパラレルデータを形成するシリアル／パレレル（Ｓ／Ｐ）変換を施して、ワード伝送レートを１．４８５Ｇｂｐｓ／２０＝７４．２５ＭＢｐｓとする２０ビットワード列データＤＰＡ１（２０）を再生する。Ｓ／Ｐ変換部５１は、シリアルデータＤＳＡ２に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ２（２０）を再生する。Ｓ／Ｐ変換部５２は、シリアルデータＤＳＢ１に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ１（２０）を再生する。さらに、Ｓ／Ｐ変換部５３は、シリアルデータＤＳＢ２に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ２（２０）を再生する。
【００９２】
Ｓ／Ｐ変換部５０〜５３により夫々再生された２０ビットワード列データＤＰＡ１（２０），ＤＰＡ２（２０），ＤＰＢ１（２０）及びＤＰＢ２（２０）は、データ再生処理部５４に供給される。
【００９３】
データ再生処理部５４にあっては、２０ビットワード列データＤＰＡ１（２０），ＤＰＡ２（２０），ＤＰＢ１（２０）及びＤＰＢ２（２０）に対して、データ処理部１２においてデータＤＶＸＸに施されるデータ処理とは逆のデータ処理を施し、それにより、２０ビットワード列データＤＰＡ１（２０），ＤＰＡ２（２０），ＤＰＢ１（２０）及びＤＰＢ２（２０）に基づくデータＤＶＸＸを再生して、それを信号記録再生部１１に供給する。このようにして再生されるデータＤＶＸＸは、図２３に示されるデータＤＣ１２，ＤＣ１４，ＤＣ１６，ＤＤ１０及びＤＤ１２のいずれかとされる。そして、信号記録再生部１１にあっては、例えば、内蔵するＶＴＲによるデータＤＶＸＸの記録が行われる。
【００９４】
信号記録再生部１１には、リターン映像信号形成部も備えられており、このリターン映像信号形成部は、例えば、ワード伝送レートを７４．２５ＭＢｐｓとする２０ビットワード列データである、リターン映像信号を成すディジタルデータＤＰＭを送出する。それにより、信号記録再生部１１からリターン映像信号を成すディジタルデータＤＰＭが得られる。
【００９５】
信号記録再生部１１から得られるディジタルデータＤＰＭは、Ｐ／Ｓ変換部５５に供給される。Ｐ／Ｓ変換部５５にあっては、ディジタルデータＤＰＭにＰ／Ｓ変換を施し、ビット伝送レートを７４．２５ＭＢｐｓ×２０＝１．４８５ＧｂｐｓとするシリアルデータＤＳＭを形成して、それをＥ／Ｏ変換部５６に供給する。
【００９６】
Ｅ／Ｏ変換部５６は、シリアルデータＤＳＭにＯ／Ｅ変換処理を施し、シリアルデータＤＳＭに基づく、中心波長を、例えば、略１．３μｍとする光信号ＯＳＭを形成し、それをビット伝送レートを１．４８５Ｇｂｐｓとしたもとで送出する。Ｅ／Ｏ変換部５６から導出される光信号ＯＳＭは、双方向性ＷＤＭカップラ３２に供給される。
【００９７】
双方向性ＷＤＭカップラ３２にあっては、Ｅ／Ｏ変換部５６からの光信号ＯＳＭが、図１２に示される入出力端４１から光コネクタ４０を通じて誘電体多層膜部３５に供給される。そして、誘電体多層膜部３５から光コネクタ３６を通じて入出力端３７に導出される。入出力端３７に導出された光信号ＯＳＭは、双方向性ＷＤＭカップラ３２から送出されて、光コネクタ３３へと導かれる。
【００９８】
そして、双方向性ＷＤＭカップラ３２からの光信号ＯＳＭは、光コネクタ３３を通じて光信号伝送ケーブル３１にその他端側から送出されて、光信号伝送ケーブル３１の他端側から一端側へと伝送され、その一端側から光コネクタ３０を通じて双方向性ＷＤＭカップラ２２へと導かれる。
【００９９】
双方向性ＷＤＭカップラ２２にあっては、光コネクタ３０からの、ビット伝送レートを１．４８５Ｇｂｐｓとし、中心波長を略１．３μｍとする光信号ＯＳＭが、図１１に示される入出力端２９から光コネクタ２８を通じて誘電体多層膜部２３に供給される。そして、誘電体多層膜部２３から光コネクタ２６を通じて入出力端２７に導出される。入出力端２７に導出された光信号ＯＳＭは、双方向性ＷＤＭカップラ２２から送出されて、Ｏ／Ｅ変換部５７へと導かれる。
【０１００】
Ｏ／Ｅ変換部５７にあっては、光信号ＯＳＭにＯ／Ｅ変換を施して、光信号ＯＳＭに基づく、ビット伝送レートを１．４８５ＧｂｐｓとするシリアルデータＤＳＭを再生する。そして、再生されたシリアルデータＤＳＭは、Ｓ／Ｐ変換部５８に供給される。
【０１０１】
Ｓ／Ｐ変換部５８にあっては、シリアルデータＤＳＭに、２０ビットパラレルデータを得るＳ／Ｐ変換処理を施し、シリアルデータＤＳＭに基づく、ワード伝送レートを１．４８５Ｇｂｐｓ／２０＝７４．２５ＭＢｐｓとする、リターン映像信号を成すディジタルデータＤＰＭを再生して、それをカメラ部１０に供給する。
【０１０２】
上述の如くの図１及び図２に示される例にあっては、カメラ部１０から得られるデータＤＶＸＸが、図２３に示されるデータＤＣ１２，ＤＣ１４，ＤＣ１６，ＤＤ１０及びＤＤ１２のうちのいずれかとされるもとで、多重光信号ＯＺＺに変換され、カメラ部１０側から光信号伝送ケーブル３１を通じて信号記録再生部１１側に伝送されるとともに、信号記録再生部１１から送出されるリターン映像信号を成すディジタルデータＤＰＭが、光信号ＯＳＭに変換され、信号記録再生部１１側から光信号伝送ケーブル３１を通じてカメラ部１０側に伝送されて、１　本の光信号伝送ケーブル３１の一端側及び他端側との間において、多重光信号ＯＺＺと光信号ＯＳＭとについての双方向伝送が行われる。
【０１０３】
また、カメラ部１０から得られるデータＤＶＸＸの多重光信号ＯＺＺへの変換、及び、リターン映像信号を成すディジタルデータＤＰＭの光信号ＯＳＭへの変換は、例えば、ディジタル映像信号の　ＨＤ　ＳＤＩ　に従ったシリアル伝送に用いられる現存する回路構成要素を利用して行うことができることになる。
【０１０４】
図１３及び図１４は、本願の特許請求の範囲における請求項６から請求項１１までのいずれかに記載された発明に係るデータ伝送方法の例が実施される、本願の特許請求の範囲における請求項１３に記載された発明に係るデータ伝送装置の例を示す。
【０１０５】
図１３及び図１４に示される例においては、カメラ部６０と信号記録再生部６１１との間における、７２０Ｐ信号を形成するディジタルデータ及び付加情報データ系列であるＫｅｙ信号データ系列とリターン映像信号を成すディジタルデータとの双方向伝送を行うものとされている。カメラ部６０から７２０Ｐ信号を成すデータＤＶＸＹが送出されて、それがデータ処理部６２に供給される。
【０１０６】
データＤＶＸＹは、図２４に示される表図において、データＤＶＡ１２＋ＤＫＡ１２，ＤＶＡ１４＋ＤＫＡ１４，データＤＶＡ１６＋ＤＫＡ１６及びデータＤＶＢ１２＋ＤＫＢ１２のいずれかとして示される７２０Ｐ信号とＫｅｙ信号とを成すパラレルデータとされる。斯かるもとにおける７２０Ｐ信号は、フレームレートを６０Ｈｚとし、サンプリング周波数が７４．２５ＭＨｚ，各ラインにおける有効データサンプル数が１２８０サンプル，各フレームにおける有効ライン数が７２０ラインに設定され、量子化ビット数を１２ビット，１４ビットもしくは１６ビットとする、４：２：２形式もしくは４：４：４形式のディジタル映像信号である。また、ここでのＫｅｙ信号は、７２０Ｐ信号を成すディジタルデータに含まれるＹデータ系列もしくはＧデータ系列と同等のフォーマットを有した１２ビット，１４ビットもしくは１６ビットワード列データにより形成される信号である。
【０１０７】
データＤＶＸＹが、図２４に示される、量子化ビット数を１２ビットとする４：２：２形式の７２０Ｐ信号とＫｅｙ信号とを成すデータＤＶＡ１２＋ＤＫＡ１２である場合には、データＤＶＡ１２＋ＤＫＡ１２は、図１５に示される如くに、４：２：２形式の７２０Ｐ信号を成し、各々が量子化ビット数を１２ビットとしてワード伝送レートを７４．２５ＭＢｐｓとするＹデータ系列及びＰＢ　／ＰＲ　データ系列（ＤＶＡ１２）と、Ｙデータ系列と同等のデータフォーマットを有し、量子化ビット数を１２ビットとしてワード伝送レートを７４．２５ＭＢｐｓとするＫｅｙ信号データ系列（ＤＫＡ１２）とが、フレーム同期及びライン同期がとられたもとでパラレル多重されて得られるパラレルデータである、ワード伝送レートを７４．２５ＭＢｐｓとする３６ビットワード列データとして、データ処理部６２に供給される。
【０１０８】
データ処理部６２にあっては、図１５に示される如くにして供給されるデータＤＶＡ１２＋ＤＫＡ１２に対して、次の処理を施す。
【０１０９】
先ず、図１５に示される如くの、Ｙデータ系列を構成する１２ビットワードＹＤ０，ＹＤ１，ＹＤ２，ＹＤ３，・・・・・，ＰＢ　／ＰＲ　データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１，Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１　Ａ１；０−１，Ａ２；０−１，Ａ３；０−１，・・・・・とに分割する。
【０１１０】
そして、分割された上位１０ビットの列：Ｙ０；２−１１，Ｙ１；２−１１，Ｙ２；２−１１，Ｙ３；２−１１，・・・・・と、分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａを、リンクＡとして、図１６のＡに示される如くに形成する。
【０１１１】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット　［Ｙ０；０−１］　＋ｃ０，　［Ｙ１；０−１］　＋ｃ１，　［Ｙ２；０−１］　＋ｃ２，　［Ｙ３；０−１］　＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ２；２−１，・・・・・に、８ビットの補助ビットｄ０，ｄ１，ｄ２，ｄ３，・・・・・を夫々加えて、１０ビット　［Ｐｂ０；０−１］　＋ｄ０，　［Ｐｒ０；０−１］　＋ｄ１，　［Ｐｂ１；０−１］　＋ｄ２，　［Ｐｒ１；０−１］　＋ｄ３，　［Ｐｂ２；０−１］　＋ｄ４，　［Ｐｒ２；０−１］　＋ｄ５，・・・・・とする。そして、１０ビットの列：　［Ｙ０；０−１］　＋ｃ０，　［Ｙ１；０−１］　＋ｃ１，　［Ｙ２；０−１］　＋ｃ２，　［Ｙ３；０−１］　＋ｃ３，・・・・・と、１０ビットの列：　［Ｐｂ０；０−１］　＋ｄ０，　［Ｐｒ０；０−１］　＋ｄ１，　［Ｐｂ１；０−１］　＋ｄ２，　［Ｐｒ１；０−１］　＋ｄ３，　［Ｐｂ２；０−１］　＋ｄ４，　［Ｐｒ２；０−１］　＋ｄ５，・・・・・とをパラレル多重して、ワード伝送レートを７４．２５ＭＢｐｓとする２０ビットワード列データＤＶＣ１２Ｂを、リンクＢとして、図１６のＢに示される如くに形成する。
【０１１２】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とし、分割された上位１０ビットの列：Ａ０；２−１１，Ａ１；２−１１，Ａ２；２−１１，Ａ３；２−１１，・・・・・と、１０ビットの列：　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とをパラレル多重して、ワード伝送レートを７４．２５ＭＢｐｓとする２０ビットワード列データＤＶＣ１２Ｃを、リンクＣとして、図１６のＣに示される如くに形成する。
【０１１３】
即ち、ワード伝送レートを７４．２５ＭＢｐｓとする３６ビットワード列データを形成するデータＤＶＡ１２＋ＤＫＡ１２を、図１６に示される如くの各々がワード伝送レートを７４．２５ＭＢｐｓとする２０ビットワード列データＤＶＣ１２Ａ，ＤＶＣ１２Ｂ及びＤＶＣ１２Ｃの３系統のワード列データに変換するのである。
【０１１４】
また、データ処理部６２にあっては、図１５に示される如くにして供給されるデータＤＶＡ１２＋ＤＫＡ１２に対し、上述の処理に代えた別の処理として、次の処理を施す。
【０１１５】
先ず、図１５に示される如くの、Ｙデータ系列を構成する１２ビットワードＹＤ０，ＹＤ１，ＹＤ２，ＹＤ３，・・・・・，ＰＢ　／ＰＲ　データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１　Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１　Ａ１；０−１，Ａ２；０−１，Ａ３；０−１，・・・・・とに分割する。
【０１１６】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａを、リンクＡとして、図１７のＡに示される如くに形成する。
【０１１７】
また、分割された下位２ビットＹ０；０−１とＰｂ０；０−１とＰｒ０；０−１とをビット多重するとともに４ビットの補助ビットｄ０を加えて得られる１０ビット　［Ｙ０ＢＲ０；０−１］　＋ｄ０，分割された下位２ビットＹ１；０−１に８ビットの補助ビットｅ０を加えて得られる１０ビット　［Ｙ１；０−１］　＋ｅ０，分割された下位２ビットＹ２；０−１とＰｂ１；０−１とＰｒ１；０−１とをビット多重するとともに４ビットの補助ビットｄ１を加えて得られる１０ビット［Ｙ２ＢＲ１；０−１］　＋ｄ１，分割された下位２ビットＹ３；０−１に８ビットの補助ビットｅ１を加えて得られる１０ビット　［Ｙ３；０−１］　＋ｅ１，分割された下位２ビットＹ４；０−１とＰｂ２；０−１とＰｒ２；０−１とをビット多重するとともに４ビットの補助ビットｄ２を加えて得られる１０ビット　［Ｙ４ＢＲ２；０−１］　＋ｄ２，分割された下位２ビットＹ５；０−１に８ビットの補助ビットｅ２を加えて得られる１０ビット　［Ｙ５；０−１］　＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＣ１２Ｂを、リンクＢとして、図１７のＢに示される如くに形成する。
【０１１８】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とし、分割された上位１０ビットの列：Ａ０；２−１１，Ａ１；２−１１，Ａ２；２−１１，Ａ３；２−１１，・・・・・と、１０ビットの列：　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とをパラレル多重して、ワード伝送レートを７４．２５ＭＢｐｓとする２０ビットワード列データＤＶＣ１２Ｃを、リンクＣとして、図１７のＣに示される如くに形成する。
【０１１９】
即ち、斯かる場合にも、ワード伝送レートを７４．２５ＭＢｐｓとする３６ビットワード列データを形成するデータＤＶＡ１２＋ＤＫＡ１２を、図１７に示される如くの各々がワード伝送レートを７４．２５ＭＢｐｓとする２０ビットワード列データＤＶＣ１２Ａ，ＤＶＣ１２Ｂ及びＤＶＣ１２Ｃの３系統のワード列データに変換するのである。
【０１２０】
データＤＶＸＹが、図２４に示される、量子化ビット数を１４ビットとする４：２：２形式の７２０Ｐ信号とＫｅｙ信号とを成すデータＤＶＡ１４＋ＤＫＡ１４、もしくは、量子化ビット数を１６ビットとする４：２：２形式の７２０Ｐ信号とＫｅｙ信号とを成すデータＤＶＡ１６＋ＤＫＡ１６である場合には、データＤＶＡ１４＋ＤＫＡ１４もしくはＤＶＡ１６＋ＤＫＡ１６は、４：２：２形式の７２０Ｐ信号を成し、各々が量子化ビット数を１４ビットもしくは１６ビットとしてワード伝送レートを７４．２５ＭＢｐｓとするＹデータ系列及びＰＢ　／ＰＲ　データ系列（ＤＶＡ１４もしくはＤＶＡ１６）と、Ｙデータ系列と同等のデータフォーマットを有し、量子化ビット数を１４ビットもしくは１６ビットとしてワード伝送レートを７４．２５ＭＢｐｓとするＫｅｙ信号データ系列（ＤＫＡ１４もしくはＤＫＡ１６）とが、フレーム同期及びライン同期がとられたもとでパラレル多重されて得られるパラレルデータである、ワード伝送レートを７４．２５ＭＢｐｓとする４２ビットワード列データもしくは４８ビットワード列データとして、データ処理部６２に供給される。
【０１２１】
斯かる際にも、データ処理部６２は、データＤＶＡ１４＋ＤＫＡ１４もしくはＤＶＡ１６＋ＤＫＡ１６に対して、データＤＶＡ１２＋ＤＫＡ１２に対する場合と同様な処理を施す。但し、Ｙデータ系列，ＰＢ　／ＰＲ　データ系列及びＫｅｙ信号データ系列を構成する１２ビットワードの夫々を、上位１０ビットと下位２ビットとに分割する動作に代えて、Ｙデータ系列，ＰＢ　／ＰＲ　データ系列及びＫｅｙ信号データ系列を構成する１４ビットワードの夫々を、上位１０ビットと下位４ビットとに分割する動作、もしくは、Ｙデータ系列，ＰＢ　／ＰＲ　データ系列及びＫｅｙ信号データ系列を構成する１６ビットワードの夫々を、上位１０ビットと下位６ビットとに分割する動作を行う。
【０１２２】
そして、ワード伝送レートを７４．２５ＭＢｐｓとする４２ビットワード列データもしくは４８ビットワード列データを形成するデータＤＶＡ１４＋ＤＫＡ１４もしくはＤＶＡ１６＋ＤＫＡ１６を、各々がワード伝送レートを７４．２５ＭＢｐｓとする２０ビットワード列データＤＶＣ１４ＡもしくはＤＶＣ１６Ａ，ＤＶＣ１４ＢもしくはＤＶＣ１６Ｂ、及び、ＤＶＣ１４ＣもしくはＤＶＣ１６Ｃの３系統のワード列データに変換する。
【０１２３】
データＤＶＸＹが、図２４に示される、量子化ビット数を１２ビットとする４：４：４形式の７２０Ｐ信号とＫｅｙ信号とを成すデータＤＶＢ１２＋ＤＫＢ１２である場合には、データＤＶＢ１２＋ＤＫＢ１２は、図１８に示される如くに、４：４：４形式の７２０Ｐ信号を成し、各々が量子化ビット数を１２ビットとしてワード伝送レートを７４．２５ＭＢｐｓとするＧデータ系列，Ｂデータ系列及びＲデータ系列（ＤＶＢ１２）と、Ｇデータ系列と同等のデータフォーマットを有し、量子化ビット数を１２ビットとしてワード伝送レートを７４．２５ＭＢｐｓとするＫｅｙ信号データ系列（ＤＫＢ１２）とが、フレーム同期及びライン同期がとられたもとでパラレル多重されて得られるパラレルデータである、ワード伝送レートを７４．２５ＭＢｐｓとする４８ビットワード列データとして、データ処理部６２に供給される。
【０１２４】
データ処理部６２にあっては、図１８に示される如くにして供給されるデータＤＶＢ１２＋ＤＫＢ１２に対して次の処理を施す。
【０１２５】
先ず、図１８に示される如くの、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０１２６】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット［ＧＢＲ０：０−１］　＋ｆ０，Ｇ１；０−１とＢ１；０−１とＲ１；０−１とをビット多重するとともに４ビットの補助ビットｆ１を加えて得られる１０ビット［ＧＢＲ１：０−１］　＋ｆ１，Ｇ２；０−１とＢ２；０−１とＲ２；０−１とをビット多重するとともに４ビットの補助ビットｆ２を加えて得られる１０ビット［ＧＢＲ２：０−１］　＋ｆ２，Ｇ３；０−１とＢ３；０−１とＲ３；０−１とをビット多重するとともに４ビットの補助ビットｆ３を加えて得られる１０ビット［ＧＢＲ３：０−１］　＋ｆ３，・・・・・を形成する。
【０１２７】
続いて、図１９に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列：　［ＧＢＲ０：０−１］　＋ｆ０，　［ＧＢＲ１：０−１］　＋ｆ１，　［ＧＢＲ２：０−１］　＋ｆ２，　［ＧＢＲ３：０−１］　＋ｆ３，・・・・・とを、図１９において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列：　［ＧＢＲ０：０−１］　＋ｆ０，［ＧＢＲ１：０−１］　＋ｆ１，　［ＧＢＲ２：０−１］　＋ｆ２，　［ＧＢＲ３：０−１］　＋ｆ３，・・・・・とを含む１０ビットワードグループ２とに振り分ける。
【０１２８】
そして、図１９に示される１０ビットワードグループ１に基づく、ワード伝送レートを７４．２５ＭＢｐｓとする２０ビットワード列データＤＶＤ１２Ａを、リンクＡとして、図２０のＡに示される如くに形成するとともに、図１９に示される１０ビットワードグループ２に基づく、ワード伝送レートを７４．２５ＭＢｐｓとする２０ビットワード列データＤＶＤ１２Ｂを、リンクＢとして、図２０のＢに示される如くに形成する。
【０１２９】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とし、分割された上位１０ビットの列：Ａ０；２−１１，Ａ１；２−１１，Ａ２；２−１１，Ａ３；２−１１，・・・・・と、１０ビットの列：　［Ａ０；０−１］　＋ｅ０，　［Ａ１；０−１］　＋ｅ１，　［Ａ２；０−１］　＋ｅ２，　［Ａ３；０−１］　＋ｅ３，・・・・・とをパラレル多重して、ワード伝送レートを７４．２５ＭＢｐｓとする２０ビットワード列データＤＶＤ１２Ｃを、リンクＣとして、図２０のＣに示される如くに形成する。
【０１３０】
即ち、ワード伝送レートを７４．２５ＭＢｐｓとする４８ビットワード列データを形成するデータＤＶＢ１２＋ＤＫＢ１２を、各々がワード伝送レートを７４．２５ＭＢｐｓとする２０ビットワード列データＤＶＤ１２Ａ，ＤＶＤ１２Ｂ及びＤＶＤ１２Ｃの３系統のワード列データに変換するのである。
【０１３１】
データ処理部６２は、上述の如くにして得たワード伝送レートを７４．２５ＭＢｐｓとする２０ビットワード列データＤＶＣ１２Ａ，ＤＶＣ１２Ｂ及びＤＶＣ１２Ｃの組，ＤＶＣ１４Ａ，ＤＶＣ１４Ｂ及びＤＶＣ１４Ｃの組，ＤＶＣ１６Ａ，ＤＶＣ１６Ｂ及びＤＶＣ１６Ｃの組、及び、ＤＶＤ１２Ａ，ＤＶＤ１２Ｂ及びＤＶＤ１２Ｃの組のいずれかを、２０ビットワード列データＤＰＡ（２０），ＤＰＢ（２０）及びＤＰＣ（２０）の組として導出する。
【０１３２】
データ処理部６２から導出されるワード伝送レートを７４．２５ＭＢｐｓとする２０ビットワード列データＤＰＡ（２０），ＤＰＢ（２０）及びＤＰＣ（２０）は、夫々、Ｐ／Ｓ変換部６３，６４及び６５に供給される。Ｐ／Ｓ変換部６３は、２０ビットワード列データＤＰＡ（２０）にＰ／Ｓ変換を施して、２０ビットワード列データＤＰＡ（２０）に基づくビット伝送レートを７４．２５ＭＢｐｓ×２０＝１．４８５ＧｂｐｓとするシリアルデータＤＳＡを形成する。Ｐ／Ｓ変換部６４は、２０ビットワード列データＤＰＢ（２０）にＰ／Ｓ変換を施して、２０ビットワード列データＤＰＢ（２０）に基づくビット伝送レートを７４．２５ＭＢｐｓ×２０＝１．４８５ＧｂｐｓとするシリアルデータＤＳＢを形成する。さらに、Ｐ／Ｓ変換部６５は、２０ビットワード列データＤＰＣ（２０）にＰ／Ｓ変換を施して、２０ビットワード列データＤＰＣ（２０）に基づくビット伝送レートを７４．２５ＭＢｐｓ×２０＝１．４８５ＧｂｐｓとするシリアルデータＤＳＣを形成する。
【０１３３】
Ｐ／Ｓ変換部６３から得られるシリアルデータＤＳＡ，Ｐ／Ｓ変換部６４から得られるシリアルデータＤＳＢ、及び、Ｐ／Ｓ変換部６５から得られるシリアルデータＤＳＣは、夫々、Ｅ／Ｏ変換部６６，６７及び６８に供給される。Ｅ／Ｏ変換部６６は、シリアルデータＤＳＡにＥ／Ｏ変換処理を施し、シリアルデータＤＳＡに基づく、中心波長を、例えば、略１．５１１μｍとする光信号ＯＡを、ビット伝送レートを１．４８５Ｇｂｐｓとするものとして形成する。Ｅ／Ｏ変換部６７は、シリアルデータＤＳＢにＥ／Ｏ変換処理を施し、シリアルデータＤＳＢに基づく、中心波長を、例えば、略１．５３１μｍとする光信号ＯＢを、ビット伝送レートを１．４８５Ｇｂｐｓとするものとして形成する。さらに、Ｅ／Ｏ変換部６８は、シリアルデータＤＳＣにＥ／Ｏ変換処理を施し、シリアルデータＤＳＣに基づく、中心波長を、例えば、略１．５５１μｍとする光信号ＯＣを、ビット伝送レートを１．４８５Ｇｂｐｓとするものとして形成する。
【０１３４】
Ｅ／Ｏ変換部６６，６７及び６８から夫々得られる光信号ＯＡ，ＯＢ及びＯＣは、それらの中心波長が略０．０２０μｍずつ順次隔たっているにすぎない、相互に極めて近接した波長を有するものとされる。
【０１３５】
Ｅ／Ｏ変換部６６からの光信号ＯＡとＥ／Ｏ変換部６７からの光信号ＯＢとＥ／Ｏ変換部６８からの光信号ＯＣとは、双方向性ＷＤＭカップラ６９に導かれる。双方向性ＷＤＭカップラ６９は、一端部側に４個の入出力端が設けられるとともに他端部側に１個の入出力端が設けられて構成される。そして、Ｅ／Ｏ変換部６６からの光信号ＯＡとＥ／Ｏ変換部６７からの光信号ＯＢとＥ／Ｏ変換部６８からの光信号ＯＣとが、双方向性ＷＤＭカップラ６９の一端部側に設けられた４個の入出力端のうちの３個から導入されて、その他端部側に設けられた１個の入出力端から多重光信号ＯＡＢＣとして導出される。
【０１３６】
このようなもとで、Ｅ／Ｏ変換部６６，６７及び６８と双方向性ＷＤＭカップラ６９とを含む部分においては、ＣＷＤＭと称される波長多重技術が用いられる。
【０１３７】
双方向性ＷＤＭカップラ６９から導出される多重光信号ＯＡＢＣは、双方向性ＷＤＭカップラ７０に供給される。双方向性ＷＤＭカップラ７０は、図１及び図２に示される例における双方向性ＷＤＭカップラ２２と同様に構成され、その一端部側に２個の入出力端が設けられるとともに、その他端側に１個の入出力端が設けられたものとされる。
【０１３８】
そして、双方向性ＷＤＭカップラ６９から導出される多重光信号ＯＡＢＣは、双方向性ＷＤＭカップラ７０にその一端部側に設けられた２個の入出力端のうちの一方から導入されて、その他端側に設けられた１個の入出力端に導出され、光コネクタ７１へと導かれる。
【０１３９】
光コネクタ７１は、双方向性ＷＤＭカップラ７０と光信号伝送ケーブル７２の一端側とを連結している。それにより、双方向性ＷＤＭカップラ７０からの多重光信号ＯＡＢＣは、光コネクタ７１を通じて光信号伝送ケーブル７２にその一端側から送出される。光信号伝送ケーブル７２は、例えば、石英系ＳＭＦによって形成されたものとされる。
【０１４０】
光信号伝送ケーブル７２の他端側には、それと双方向性ＷＤＭカップラ７３とを連結する光コネクタ７４が設けられている。それにより、光コネクタ７１を通じて光信号伝送ケーブル７２にその一端側から送出された多重光信号ＯＡＢＣは、光信号伝送ケーブル７２の一端側から他端側へと伝送され、その他端側から光コネクタ７４を通じて双方向性ＷＤＭカップラ７３へと導かれる。
【０１４１】
双方向性ＷＤＭカップラ７３は、図１及び図２に示される例における双方向性ＷＤＭカップラ３２と同様に構成され、その一端部側に１個の入出力端が設けられるとともに、その他端側に２個の入出力端が設けられたものとされる。
【０１４２】
そして、光コネクタ７４を通じた多重光信号ＯＡＢＣは、双方向性ＷＤＭカップラ７３にその一端部側に設けられた１個の入出力端から導入されて、その他端側に設けられた２個の入出力端のうちの一方に導出され、双方向性ＷＤＭカップラ７５へと導かれる。
【０１４３】
双方向性ＷＤＭカップラ７５は、双方向性ＷＤＭカップラ６９と同様に、一端部側に４個の入出力端が設けられるとともに他端部側に１個の入出力端が設けられて構成される。そして、双方向性ＷＤＭカップラ７３を通じた多重光信号ＯＡＢＣが、双方向性ＷＤＭカップラ７５の他端部側に設けられた１個の入出力端から導入されて、その一端部側に設けられた４個の入出力端のうちの３個から、ビット伝送レートを１．４８５Ｇｂｐｓとして中心波長を略１．５１１μｍとする光信号ＯＡ，ビット伝送レートを１．４８５Ｇｂｐｓとして中心波長を略１．５３１μｍとする光信号ＯＢ、及び、ビット伝送レートを１．４８５Ｇｂｐｓとして中心波長を略１．５５１μｍとする光信号ＯＣとして導出される。これらの光信号ＯＡ，ＯＢ及びＯＣは、Ｏ／Ｅ変換部７６，７７及び７８に夫々導かれる。
【０１４４】
Ｏ／Ｅ変換部７６にあっては、ビット伝送レートを１．４８５Ｇｂｐｓとして中心波長を略１．５１１μｍとする光信号ＯＡにＯ／Ｅ変換処理を施して、光信号ＯＡに基づく、ビット伝送レートを１．４８５ＧｂｐｓとするシリアルデータＤＳＡを再生する。そして、再生されたシリアルデータＤＳＡは、Ｓ／Ｐ変換部８０に供給される。
【０１４５】
Ｏ／Ｅ変換部７７にあっては、ビット伝送レートを１．４８５Ｇｂｐｓとして中心波長を略１．５３１μｍとする光信号ＯＢにＯ／Ｅ変換処理を施して、光信号ＯＢに基づく、ビット伝送レートを１．４８５ＧｂｐｓとするシリアルデータＤＳＢを再生する。そして、再生されたシリアルデータＤＳＢは、Ｓ／Ｐ変換部８１に供給される。
【０１４６】
Ｏ／Ｅ変換部７８にあっては、ビット伝送レートを１．４８５Ｇｂｐｓとして中心波長を略１．５５１μｍとする光信号ＯＣにＯ／Ｅ変換処理を施して、光信号ＯＣに基づく、ビット伝送レートを１．４８５ＧｂｐｓとするシリアルデータＤＳＣを再生する。そして、再生されたシリアルデータＤＳＣは、Ｓ／Ｐ変換部８２に供給される。
【０１４７】
Ｓ／Ｐ変換部８０は、シリアルデータＤＳＡに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ（２０）を再生する。Ｓ／Ｐ変換部８１は、シリアルデータＤＳＢに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ（２０）を再生する。さらに、Ｓ／Ｐ変換部８２は、シリアルデータＤＳＣに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＣ（２０）を再生する。
【０１４８】
Ｓ／Ｐ変換部８０〜８２により夫々再生された２０ビットワード列データＤＰＡ（２０），ＤＰＢ（２０）及びＤＰＣ（２０）は、データ再生処理部８３に供給される。
【０１４９】
データ再生処理部８３にあっては、２０ビットワード列データＤＰＡ（２０），ＤＰＢ（２０）及びＤＰＣ（２０）に対して、データ処理部６２においてデータＤＶＸＹに施されるデータ処理とは逆のデータ処理を施し、それにより、２０ビットワード列データＤＰＡ（２０），ＤＰＢ（２０）及びＤＰＣ（２０）に基づくデータＤＶＸＹを再生して、それを信号記録再生部６１に供給する。このようにして再生されるデータＤＶＸＹは、図２４に示されるデータＤＶＡ１２＋ＤＫＡ１２，ＤＶＡ１４＋ＤＫＡ１４，ＤＶＡ１６＋ＤＫＡ１６及びＤＶＢ１２＋ＤＫＢ１２のうちのいずれかとされる。そして、信号記録再生部６１にあっては、例えば、内蔵するＶＴＲによるデータＤＶＸＹの記録が行われる。
【０１５０】
信号記録再生部６１には、リターン映像信号形成部も備えられており、このリターン映像信号形成部は、例えば、各々がワード伝送レートを７４．２５ＭＢｐｓとする２０ビットワード列データである、リターン映像信号を成すディジタルデータＤＰＭ１及びＤＰＭ２を送出する。
【０１５１】
信号記録再生部６１から得られるディジタルデータＤＰＭ１は、Ｐ／Ｓ変換部８５に供給される。Ｐ／Ｓ変換部８５にあっては、ディジタルデータＤＰＭ１にＰ／Ｓ変換を施し、ビット伝送レートを７４．２５ＭＢｐｓ×２０＝１．４８５ＧｂｐｓとするシリアルデータＤＳＭ１を形成して、それをＥ／Ｏ変換部８６に供給する。
【０１５２】
Ｅ／Ｏ変換部８６は、シリアルデータＤＳＭ１にＥ／Ｏ変換処理を施し、シリアルデータＤＳＭ１に基づく、中心波長を、例えば、略１．５７１μｍとする光信号ＯＳＭ１を、ビット伝送レートを１．４８５Ｇｂｐｓとするものとして形成する。このように、光信号ＯＳＭ１は、光信号ＯＣの中心波長、即ち、略１．５５１μｍに略０．０２０μの波長間隔をおいて近接する中心波長を有したものとされる。
【０１５３】
Ｅ／Ｏ変換部８６から得られる光信号ＯＳＭ１は、双方向性ＷＤＭカップラ７５に、その一端部側の４個の入出力端のうちの１個から導入されて、その他端部側の１個の入出力端に導出され、双方向性ＷＤＭカップラ７３に供給される。双方向性ＷＤＭカップラ７３にあっては、双方向性ＷＤＭカップラ７５からの光信号ＯＳＭ１が、他端側に設けられた２個の入出力端のうちの一方から導入されて、一端側に設けられた１個の入出力端に導出される。
【０１５４】
双方向性ＷＤＭカップラ７３の一端側に設けられた１個の入出力端に導出される光信号ＯＳＭ１は、光コネクタ７４へと導かれ、光コネクタ７４を通じて光信号伝送ケーブル７２にその他端側から送出されて、光信号伝送ケーブル７２の他端側から一端側へと伝送され、その一端側から光コネクタ７１を通じて双方向性ＷＤＭカップラ７０へと導かれる。双方向性ＷＤＭカップラ７０にあっては、光コネクタ７１からの光信号ＯＳＭ１が、他端側に設けられた１個の入出力端から導入されて、その一端側に設けられた２個の入出力端の一方に導出される。
【０１５５】
双方向性ＷＤＭカップラ７０の一端側に設けられた２個の入出力端の一方に導出される、ビット伝送レートを１．４８５Ｇｂｐｓとし、中心波長を略１．５７１μｍとする光信号ＯＳＭ１は、双方向性ＷＤＭカップラ６９に導かれる。
【０１５６】
双方向性ＷＤＭカップラ６９においては、光信号ＯＳＭ１が、他端側に設けられた１個の入出力端から導入され、その一端側に設けられた４個の入出力端のうちの１個から導出されて、Ｏ／Ｅ変換部８７に導かれる。Ｏ／Ｅ変換部８７は、ビット伝送レートを１．４８５Ｇｂｐｓとし、中心波長を略１．５７１μｍとする光信号ＯＳＭ１にＯ／Ｅ変換処理を施し、光信号ＯＳＭ１に基づくビット伝送レートを１．４８５ＧｂｐｓとするシリアルデータＤＳＭ１を再生して、それをＳ／Ｐ変換部８８に供給する。
【０１５７】
Ｓ／Ｐ変換部８８にあっては、シリアルデータＤＳＭ１に、２０ビットパラレルデータを得るＳ／Ｐ変換処理を施し、シリアルデータＤＳＭ１に基づく、ワード伝送レートを１．４８５Ｇｂｐｓ／２０＝７４．２５ＭＢｐｓとする、リターン映像信号を成すディジタルデータＤＰＭ１を再生して、それをカメラ部６０に供給する。
【０１５８】
また、信号記録再生部６１から得られるディジタルデータＤＰＭ２は、Ｐ／Ｓ変換部９０に供給される。Ｐ／Ｓ変換部９０にあっては、ディジタルデータＤＰＭ２にＰ／Ｓ変換を施し、ビット伝送レートを７４．２５ＭＢｐｓ×２０＝１．４８５ＧｂｐｓとするシリアルデータＤＳＭ２を形成して、それをＥ／Ｏ変換部９１に供給する。
【０１５９】
Ｅ／Ｏ変換部９１は、シリアルデータＤＳＭ２にＯ／Ｅ変換処理を施し、シリアルデータＤＳＭ２に基づく、中心波長を、例えば、略１．３μｍとする光信号ＯＳＭ２を形成し、それをビット伝送レートを１．４８５Ｇｂｐｓとしたもとで送出する。Ｅ／Ｏ変換部９１から導出される光信号ＯＳＭ２は、双方向性ＷＤＭカップラ７３に供給される。
【０１６０】
双方向性ＷＤＭカップラ７３にあっては、Ｅ／Ｏ変換部９１からの光信号ＯＳＭ２が、他端部に設けられた２　個の入出力端のうちの他方から導入されて、一端部に設けられた１個の入出力端に導出され、光コネクタ７４へと導かれる。
【０１６１】
そして、双方向性ＷＤＭカップラ７３からの光信号ＯＳＭ２は、光コネクタ７４を通じて光信号伝送ケーブル７２にその他端側から送出されて、光信号伝送ケーブル７２の他端側から一端側へと伝送され、その一端側から光コネクタ７１を通じて双方向性ＷＤＭカップラ７０へと導かれる。
【０１６２】
双方向性ＷＤＭカップラ７０にあっては、光コネクタ７１からの、ビット伝送レートを１．４８５Ｇｂｐｓとし、中心波長を略１．３μｍとする光信号ＯＳＭ２が、他端部に設けられた１個の入出力端から導入されて、一端部に設けられた２個の入出力端のうちの他方に導出され、Ｏ／Ｅ変換部９２へと導かれる。
【０１６３】
Ｏ／Ｅ変換部９２にあっては、光信号ＯＳＭ２にＯ／Ｅ変換を施して、光信号ＯＳＭ２に基づく、ビット伝送レートを１．４８５ＧｂｐｓとするシリアルデータＤＳＭ２を再生する。そして、再生されたシリアルデータＤＳＭ２は、Ｓ／Ｐ変換部９３に供給される。
【０１６４】
Ｓ／Ｐ変換部９３にあっては、シリアルデータＤＳＭ２に、２０ビットパラレルデータを得るＳ／Ｐ変換処理を施し、シリアルデータＤＳＭ２に基づく、ワード伝送レートを１．４８５Ｇｂｐｓ／２０＝７４．２５ＭＢｐｓとする、リターン映像信号を成すディジタルデータＤＰＭ２を再生して、それをカメラ部６０に供給する。
【０１６５】
上述の如くの図１３及び図１４に示される例にあっても、カメラ部６０から得られるデータＤＶＸＹが、図２４に示されるデータＤＶＡ１２＋ＤＫＡ１２，ＤＶＡ１４＋ＤＫＡ１４，ＤＶＡ１６＋ＤＫＡ１６及びＤＶＢ１２＋ＤＫＢ１２のうちのいずれかとされるもとで、多重光信号ＯＡＢＣに変換され、カメラ部６０側から光信号伝送ケーブル７２を通じて信号記録再生部６１側に伝送されるとともに、信号記録再生部６１から送出されるリターン映像信号を成すディジタルデータＤＰＭ１及びＤＰＭ２が、光信号ＯＳＭ１及びＯＳＭ２に変換され、信号記録再生部６１側から光信号伝送ケーブル７２を通じてカメラ部６０側に伝送されて、１　本の光信号伝送ケーブル７２を通じての、多重光信号ＯＡＢＣと光信号ＯＳＭ１及びＯＳＭ２とについての双方向伝送が行われる。
【０１６６】
また、カメラ部６０から得られるデータＤＶＸＹの多重光信号ＯＡＢＣへの変換、及び、リターン映像信号を成すディジタルデータＤＰＭ１及びＤＰＭ２の光信号ＯＳＭ１及びＯＳＭ２への変換は、例えば、ディジタル映像信号の　ＨＤ　ＳＤＩ　に従ったシリアル伝送に用いられる現存する回路構成要素を利用して行うことができることになる。
【０１６７】
【発明の効果】
以上の説明から明らかな如く、本願の特許請求の範囲における請求項１から請求項５までのいずれかに記載された発明に係るデータ伝送方法、あるいは、請求項１２に記載された発明に係るデータ伝送装置によれば、フレームレートを５０Ｈｚもしくは６０Ｈｚとし、各フレームにおける有効ライン数が１０８０ライン，各ラインにおける有効データサンプル数が１９２０サンプルに設定されたディジタル映像信号を成すディジタルデータに基づく第１から第４までのシリアルデータと、それらとは別の第５のシリアルデータとを、光信号に変換して、１　本の光信号伝送ケーブルを用いて双方向伝送することができる。その際、ディジタル映像信号は、例えば、量子化ビット数を１０ビット，１２ビット，１４ビットもしくは１６ビットとする４：２：２形式もしくは４：４：４形式のものとされる。
【０１６８】
そして、１本の光信号伝送ケーブルを通じた各光信号の伝送先において、第１から第４までのシリアルデータと第５のシリアルデータとを夫々再生することができる。
【０１６９】
さらに、斯かる際における第１から第４までのシリアルデータと第５のシリアルデータとの双方向伝送を、例えば、ディジタル映像信号の　ＨＤ　ＳＤＩ　に従ったシリアル伝送に用いられる現存する回路構成要素を利用して行うことができることになる。
【０１７０】
また、本願の特許請求の範囲における請求項６から請求項１１までのいずれかに記載された発明に係るデータ伝送方法、あるいは、請求項１３に記載された発明に係るデータ伝送装置によれば、フレームレートを６０Ｈｚとし、各フレームにおける有効ライン数が７２０ライン，各ラインにおける有効データサンプル数が１２８０サンプルに設定されたディジタル映像信号を成すディジタルデータに基づく第１から第３までのシリアルデータと、それらとは別の第４及び第５のシリアルデータとを、光信号に変換して、１　本の光信号伝送ケーブルを用いて双方向伝送することができる。その際、ディジタル映像信号は、例えば、量子化ビット数を１２ビット，１４ビットもしくは１６ビットとする４：２：２形式もしくは４：４：４形式のものとされる。
【０１７１】
そして、１本の光信号伝送ケーブルを通じた各光信号の伝送先において、第１から第３までのシリアルデータと第４及び第５のシリアルデータとを夫々再生することができる。
【０１７２】
さらに、斯かる際における第１から第３までのシリアルデータと第４及び第５のシリアルデータとの双方向伝送を、例えば、ディジタル映像信号の　ＨＤ　ＳＤＩ　に従ったシリアル伝送に用いられる現存する回路構成要素を利用して行うことができることになる。
【０１７３】
このような本願の特許請求の範囲に記載された発明に係るデータ伝送方法あるいはデータ伝送装置が、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送に適用される際には、斯かる複数の光信号のカメラ部と信号記録再生部との間における光信号伝送ケーブルを用いての双方向伝送を、現存する回路構成要素を利用し、１　本の光信号伝送ケーブルを用いて、効率良く行うことができることになり、コストの低減等が効果的に図られる。
【図面の簡単な説明】
【図１】本願の特許請求の範囲における請求項１から請求項５までのいずれかに記載された発明に係るデータ伝送方法の例が実施される、本願の特許請求の範囲における請求項１２に記載された発明に係るデータ伝送装置の例の部分を示すブロック接続図である。
【図２】本願の特許請求の範囲における請求項１から請求項５までのいずれかに記載された発明に係るデータ伝送方法の例が実施される、本願の特許請求の範囲における請求項１２に記載された発明に係るデータ伝送装置の例の部分を示すブロック接続図である。
【図３】図１及び図２に示される例におけるデータ処理部の動作説明に供されるデータをあらわす概念図である。
【図４】図１及び図２に示される例におけるデータ処理部の動作説明に供されるデータをあらわす概念図である。
【図５】図１及び図２に示される例におけるデータ処理部の動作説明に供されるデータをあらわす概念図である。
【図６】図１及び図２に示される例におけるデータ処理部の動作説明に供されるデータをあらわす概念図である。
【図７】図１及び図２に示される例におけるデータ処理部の動作説明に供されるデータをあらわす概念図である。
【図８】図１及び図２に示される例におけるデータ処理部の動作説明に供されるデータをあらわす概念図である。
【図９】図１及び図２に示される例におけるデータ処理部の動作説明に供されるデータをあらわす概念図である。
【図１０】図１及び図２に示される例におけるデータ処理部の動作説明に供されるデータをあらわす概念図である。
【図１１】図１及び図２に示される例に用いられる双方向性ＷＤＭカップラの具体構成例をあらわすブロック接続図である。
【図１２】図１及び図２に示される例に用いられる双方向性ＷＤＭカップラの具体構成例をあらわすブロック接続図である。
【図１３】本願の特許請求の範囲における請求項６から請求項１１までのいずれかに記載された発明に係るデータ伝送方法の例が実施される、本願の特許請求の範囲における請求項１３に記載された発明に係るデータ伝送装置の他の例の部分を示すブロック接続図である。
【図１４】本願の特許請求の範囲における請求項６から請求項１１までのいずれかに記載された発明に係るデータ伝送方法の例が実施される、本願の特許請求の範囲における請求項１３に記載された発明に係るデータ伝送装置の他の例の部分を示すブロック接続図である。
【図１５】図１３及び図１４に示される例におけるデータ処理部の動作説明に供されるデータをあらわす概念図である。
【図１６】図１３及び図１４に示される例におけるデータ処理部の動作説明に供されるデータをあらわす概念図である。
【図１７】図１３及び図１４に示される例におけるデータ処理部の動作説明に供されるデータをあらわす概念図である。
【図１８】図１３及び図１４に示される例におけるデータ処理部の動作説明に供されるデータをあらわす概念図である。
【図１９】図１３及び図１４に示される例におけるデータ処理部の動作説明に供されるデータをあらわす概念図である。
【図２０】図１３及び図１４に示される例におけるデータ処理部の動作説明に供されるデータをあらわす概念図である。
【図２１】ＨＤディジタル映像信号のデータフォーマットの一例の説明に供される概念図である。
【図２２】ＨＤディジタル映像信号のデータフォーマットの一例の説明に供される概念図である。
【図２３】ディジタル映像信号を成すディジタルデータの説明に供される表図である。
【図２４】ディジタル映像信号を成すディジタルデータの説明に供される表図である。
【図２５】石英系ＳＭＦの減衰特性をあらわす特性図である。
【図２６】石英系ＳＭＦの分散特性をあらわす特性図である。
【符号の説明】
１０，６０・・・カメラ部，　１１，６１・・・信号記録再生部，　１２，６２・・・データ処理部，　１３〜１６，５５，６３〜６５，８５，９０・・・Ｐ／Ｓ変換部，　１７〜２０，５６，６６〜６８，８６，９１・・・Ｅ／Ｏ変換部，　２１・・・合波部，　２２，３２，６９，７０，７３，７５・・・双方向性ＷＤＭカップラ，　２４，２６，２８，３０，３３，３６，３８，４０，７１，７４・・・光コネクタ，　２３，３５・・・誘電体多層膜部，　３１，７２・・光信号伝送ケーブル，　４５・・・分波部，　４６〜４９，５７，７６〜７８，８７，９２・・・Ｏ／Ｅ変換部，　５０〜５３，５８，８０〜８２，８８，９３・・・Ｓ／Ｐ変換部，　５４，８３・・・データ再生処理部
【図１】
2004072664.tif 000003
【図２】
2004072664.tif 000004
【図３】
2004072664.tif 000005
【図４】
2004072664.tif 000006
【図５】
2004072664.tif 000007
【図６】
2004072664.tif 000008
【図７】
2004072664.tif 000009
【図８】
2004072664.tif 000010
【図９】
2004072664.tif 000011
【図１０】
2004072664.tif 000012
【図１１】
2004072664.tif 000013
【図１２】
2004072664.tif 000014
【図１３】
2004072664.tif 000015
【図１４】
2004072664.tif 000016
【図１５】
2004072664.tif 000017
【図１６】
2004072664.tif 000018
【図１７】
2004072664.tif 000019
【図１８】
2004072664.tif 000020
【図１９】
2004072664.tif 000021
【図２０】
2004072664.tif 000022
【図２１】
2004072664.tif 000023
【図２２】
2004072664.tif 000024
【図２３】
2004072664.tif 000025
【図２４】
2004072664.tif 000026
【図２５】
2004072664.tif 000027
【図２６】
2004072664.tif 000028